(57)【要約】  ポジショニング測定とタイミング測定のうちの少なくとも一つのために使用される受信器に対する無線周波数（RF）性能メトリック推定値を取得するための技術が説明される。該技術の方法の実装は、検出確率とフォールスアラームレートのうちの少なくとも一つを計算する工程と、該計算された検出確率と該計算されたフォールスアラームレートのうちの少なくとも一つに基づいて、受信器に対する少なくとも一つのRF性能メトリック推定値を取得する工程を含む。【選択図】図５
2016500212.tif 000002
【特許請求の範囲】
【請求項１】
ポジショニング測定とタイミング測定のうちの少なくとも一つのために使用される受信器（200;300;402;530）に対する無線周波数（RF）性能メトリック推定値を取得する方法であって、
前記測定に使用できる無線信号に対して検出確率とフォールスアラームレートのうちの少なくとも一つを計算する工程と、
前記計算された検出確率と前記計算されたフォールスアラームレートのうちの少なくとも一つに基づいて、前記受信器に対する少なくとも一つのRF性能メトリック推定値を取得する工程と、
を有することを特徴とする方法。
【請求項２】
前記少なくとも一つのRF性能メトリック推定値は、前記計算された検出確率並びに／または前記計算されたフォールスアラームレートにより構成されることを特徴とする請求項１に記載の方法。
【請求項３】
前記RF性能メトリック推定値は、位置測定ユニット（LMU）の形式で測定ノード（400;510）の受信器のために取得されることを特徴とする請求項１または２に記載の方法。
【請求項４】
前記方法は、前記受信器に対する試験手順により含まれることを特徴とする請求項１から３のいずれか１項に記載の方法。
【請求項５】
前記少なくとも一つのRF性能メトリック推定値を、事前に定義されまたは構成されたRF性能メトリック値の少なくとも一方に対して検証する工程を更に有することを特徴とする請求項１から４のいずれか１項に記載の方法。
【請求項６】
前記少なくとも一つのRF性能メトリック値は、参照のまたは目標の検出確率と、参照のまたは目標のフォールスアラームレートのうちの一方であることを特徴とする請求項５に記載の方法。
【請求項７】
第一のRF性能メトリック推定値は、前記計算された検出確率に基づいて取得され、第二のRF性能メトリック推定値は、前記計算されたフォールスアラームレートに基づいて取得され、前記第一のRF性能メトリック推定値と前記第二のRF性能メトリック推定値の両方は検証されることを特徴とする請求項５または６に記載の方法。
【請求項８】
前記工程は、前記受信器を含む測定ノード（400;510）に対して、前記試験装置ノード（520）により実行されることを特徴とする請求項１から７のいずれか１項に記載の方法。
【請求項９】
前記測定ノードから測定結果を前記試験装置ノードにより受信する工程と、
前記測定デバイスが必須要件に準拠しているか否かを判定するために前記測定結果を前記試験装置ノードにより解析する工程と、
を更に有することを特徴とする請求項８に記載の方法。
【請求項１０】
前記測定結果は測定要求に応答して受信されることを特徴とする請求項９に記載の方法。
【請求項１１】
前記測定結果を解析する工程は、前記測定結果の統計を参照結果と比較することを含むことを特徴とする請求項９または１０に記載の方法。
【請求項１２】
前記検出確率並びに／または前記フォールスアラームレートは、前記測定結果を解析することに関連して計算されることを特徴とする請求項９から１１のいずれか１項に記載の方法。
【請求項１３】
前記検出確率は、前記無線信号の存在を決定することを示すことを特徴とする請求項１から１２のいずれか１項に記載の方法。
【請求項１４】
前記フォールスアラームレートは、前記無線信号が存在しない場合の無線信号判定を示すことを特徴とする請求項１から１３のいずれか１項に記載の方法。
【請求項１５】
前記検出確率と前記フォールスアラームレートのうちの少なくとも一つは、測定ノードの受信器またはアンテナポート毎に計算されることを特徴とする請求項１から１４のいずれか１項に記載の方法。
【請求項１６】
前記受信器はロングタームエヴォリューションに準拠し、前記検出確率と前記フォールスアラームレートのうちの少なくとも一つは、アップリンクサウンディング参照信号（SRS）を含む無線信号に対して計算されることを特徴とする請求項１から１５のいずれか１項に記載の方法。
【請求項１７】
参照チャネルは、無線信号送信に対して特定されることを特徴とする請求項１から１６のいずれか１項に記載の方法。
【請求項１８】
前記少なくとも一つの事前に定義されまたは構成されたRF性能メトリック値または前記参照結果は前記参照チャネルに適合することを特徴とする請求項５または１１に関連した請求項１７に記載の方法。
【請求項１９】
前記参照チャネルは物理参照信号に対して特定されることを特徴とする請求項１７または１８に記載の方法。
【請求項２０】
前記物理参照信号はサウンディング参照信号（SRS）であることを特徴とする請求項１８に記載の方法。
【請求項２１】
前記参照チャネルは、アップリンクSRSの検出を許容する一つ以上のSRSパラメータを送信するために使用されることを特徴とする請求項１６に関連した請求項２０に記載の方法。
【請求項２２】
前記参照チャネルは、以下のパラメータ、すなわち、
変調、信号シーケンス、時間並びに／または周波数リソースを含む送信または受信スケジューリング、信号帯域幅、周波数ホッピング構成、セル関連C-RNIT、前記参照信号が取得された無線デバイスに関連付けられた符号または特定のシーケンス、複信構成、CA構成、電力制御パラメータ、EARFCN、ULサイクリックプリフィックス、セルのULシステム帯域幅、セル固有SRS帯域幅構成、SRS送信ためのアンテナポート数、SRS周波数領域位置、SRS周波数ホッピング帯域幅構成、SRSサイクリックシフト、SRS送信コム、SRS構成インデックス、TDDにのみ使用されるMaxUpPt、グループホッピングが可能かの表示、デルタSSパラメータ、
の一つ以上に特徴づけられることを特徴とする請求項１７から２１のいずれか１項に記載の方法。
【請求項２３】
前記受信器または前記受信器を含む測定ノードは、到着時間差（TDOA）測定と相対到着時間（RTOA）測定の少なくとも一つのために適合されることを特徴とする請求項１から２２のいずれか１項に記載の方法。
【請求項２４】
前記取得したRF性能メトリック推定値に応答して、または前記取得したRF性能メトリック推定値に基づいて適応的に、ポジショニング測定とタイミングのうちの少なくとも一つを構成する工程を更に有することを特徴とする請求項１から２３のいずれか１項に記載の方法。
【請求項２５】
コンピューティングデバイスにより実行された場合に、請求項１から２４のいずれか１項に記載の方法を実行するためのプログラムコード部分を含むコンピュータプログラム製品。
【請求項２６】
コンピュータ読み取り可能な記録媒体に格納された請求項２５に記載のコンピュータプログラム製品。
【請求項２７】
ポジショニング測定とタイミング測定のうちの少なくとも一つのために使用される受信器（200;300;402;530）に対する無線周波数（RF）性能メトリック推定値を取得するための装置（540）であって、前記装置は、
前記測定に使用できる無線信号に対して検出確率とフォールスアラームレートのうちの少なくとも一つを計算し、
前記計算された検出確率と前記計算されたフォールスアラームレートのうちの少なくとも一つに基づいて、前記受信器に対する少なくとも一つのRF性能メトリック推定値を取得するように構成されることを特徴とする装置。
【請求項２８】
前記装置は試験装置ノード（520）に含まれることを特徴とする請求項２７に記載の装置。
【請求項２９】
受信器性能管理システムであって、
請求項２８に記載の試験装置ノード（520）と、
前記受信器（200;300;402;530）を含む少なくとも一つの測定ノード（400;510）を含むことを特徴とするシステム。
【請求項３０】
前記少なくとも一つの測定ノードは、前記RF性能メトリックが取得された受信器を含む、位置測定ユニット（LUM）と進化型NodeB（eNodeB）のうちの少なくとも一つを含むことを特徴とする請求項２９に記載のシステム。
【請求項３１】
前記受信器は、受信器RFタイプに準拠し、前記システムは、少なくとも一つの事前に定義されまたは構成されたRF性能メトリック値はたま参照結果を満たすために受信器RFタイプを適合させるように構成されることを特徴とする請求項２９または３０に記載のシステム。
【発明の詳細な説明】
【技術分野】
【０００１】
本発明は、一般的には無線通信に関する。特に、ポジショニング測定とタイミング測定のうちの少なくとも一つに対して使用される、受信器のための無線周波数（RF）推定値を取得するための技術が提示される。該技術は、方法、コンピュータプログラム製品、装置、およびシステムの形式で実装され得る。
【背景技術】
【０００２】
ポジショニング測定は、現代の無線通信ネットワークの重要な特徴である。携帯電話からの緊急通話の場合を例にとると、発呼する人が対応する情報を提供することが不可能な場合に、ポジショニング測定を介して該携帯電話の位置が決定される必要があるだろう。
【０００３】
無線通信ネットワークにおけるポジショニング測定は、多くの場合、タイミング測定に基づく。この点について、TDOAベースのポジショニングアプローチについて触れることができる。TDOAは、到着時間差（Time Difference of Arrival）の略であり、複数のRF受信器との通信において、無線デバイスの位置や場所を計算するために、該複数の基地局から得られたタイミング情報を活用する。
【０００４】
TDOAベースのポジショニングアプローチと、同様な技術は、グローバルポジショニングシステム（GPS）やGALILEOのような、グローバルナビゲーションサテライトシステム（GNSSs）に依存するポジショニングアプローチに対して、優位性をもつ。第一に、後者のアプローチでは、無線デバイスは実際にはGNSS受信器を搭載していることが必要となり、特定のクラスの無線デバイス（例えば、レガシーフォン）の場合は当てはまらない。さらに、GNSS受信器は、利用可能な場合、アクティブ状態でなければならない。GNSS受信器は、かなりの電力消費が行われるので、ユーザは特別に必要でない限り（例えば、道路案内の目的で）、頻繁に非アクティブ状態にすることが望まれる。またさらに、GNSS受信器は、正しい位置を導出するために、複数の衛星のはっきりとした「ビュー」が必要となる。無線デバイスが室内や都市環境（すなわち、高いビルに囲まれる場合）で操作される場合、この条件は一般的には満たされない。
【０００５】
無線通信の構造に依存するこのようなポジショニングアプローチは、しばしば、無線デバイスの位置を検出する可能性のみとなる。一方、無線通信ネットワーク内のTODAポジショニングアプローチとこれと同様のポジショニングアプローチは、関連する受信器の適切な性能が保証される場合、適切に機能するのみである。例えば、受信器による非正確なタイミング測定は、TDOAベースのポジショニングの正確性に直接影響するだろう。
【発明の概要】
【０００６】
ポジショニング測定とタイミング測定のうちの少なくとも一つに対して使用される、受信器のためのRF性能メトリック推定値を取得するための技術が必要となる。
【０００７】
第一の観点によれば、ポジショニング測定とタイミング測定のうちの少なくとも一つに対して使用される、受信器のためのRF性能メトリック推定値を取得するための方法が提供される。該方法は、該測定に適した無線信号に対する、検出確率とフォールスアラームレートの少なくとも一つを算出する工程を含む。該方法はさらに、算出された検出確率と算出されたフォールスアラームレートの少なくとも一つに基づいて、受信器に対する少なくとも一つのRF性能メトリック推定値を取得する工程を含む。
【０００８】
一実施形態では、少なくとも一つのRF性能メトリック推定値は、算出された検出確率並びに／または算出されたフォールスアラームレートにより構成される。別の実施形態では、少なくとも一つのRF性能メトリック推定値を取得するために、算出された検出確率並びに／または算出されたフォールスアラームレートは、さらなる計算または処理工程に従う。
【０００９】
RF性能メトリック推定値が取得される受信器は、測定ノードに属し得る。測定ノードは、独立型（stand-alone）ノードであってもよい。また、測定ノードは、基地局に統合されてもよく、または、基地局と共に置かれてもよい。後者の変形では、測定ノードは、基地局のもつ１本以上のアンテナを共有してもよい。測定ノードは、一般的には、位置測定ユニット（LMU）の形を有することができる。
【００１０】
ここに記載される方法は、受信器に対する試験手順により含まれ得る。そのような場合、該方法はさらに、少なくとも一つのRF性能メトリック推定値と、少なくとも一つの事前に定義され、または構成されたRF性能メトリック値とを対置して検証する工程を含んでもよい。少なくとも一つのRF性能メトリック値は、参照の検出確率または目標の検出確率と、参照のフォールスアラームレートまたは目標のフォールスアラームレートの少なくとも一つであってもよい。一つの変形では、第一のRF性能メトリック推定値は、算出された検出確率に基づいて取得され、第二のRF性能メトリック推定値は、算出されたフォールスアラームレートに基づいて取得され得る。そのような場合、第一のRF性能メトリック推定値と第二のRF性能メトリック推定値の両方が検証され得る。
【００１１】
ここに示される方法の工程は、一般的には、少なくとも一部が、受信器を含む測定ノードに対する試験装置ノードにより行われてもよい。それらの工程の一つ以上は、測定ノードによっても実行されてもよい。
【００１２】
一つの変形において、方法は、測定ノードから測定結果（例えば測定報告）を試験装置ノードにより受信する工程と、測定デバイスは必須要件（例えば、上述したような参照／目標検出確率並びに／または参照／目標フォールスアラームレート、または参照する結果）に適合するか否かを判断するために測定結果を試験装置ノードにより解析する工程を含む。測定結果は、測定要求に応答して、測定ノードから受信されてもよい。例として、各測定要求は、関連するする測定結果をトリガすることように意図されてもよい。測定要求は、試験装置ノードから送信されてもよい。
【００１３】
測定結果を解析する工程は、測定結果の統計を参照結果と比較する工程を含んでもよい。測定結果の統計は、一つ以上の測定報告と測定要求の両方を考慮して生成（例えば計算）されてもよい。計算された検出確率並びに／または計算されたフォールスアラームレートは、そのような統計の形式で導出されてもよい。例として、検出確率は、測定要求の全ての数に対する受信した測定報告の割合として定義され得る。別の例として、フォールスフォールスアラームレートは、存在しない無線信号の測定構成を有する測定要求の全ての数に対する受信した測定報告の百分率として定義され得る。このように、検出確率並びに／またはフォールスアラームレートは、測定結果を解析することに関連して算出され得る。
【００１４】
一般的に、検出確率は、無線信号の存在を判定することを示し得る。同様に、フォールスアラームレートは、無線信号が存在しない場合の無線信号判定を示し得る。
【００１５】
検出確率とフォールスアラームレートのうちの少なくとも一つは、受信器ごとまたは測定ノードのアンテナポートごとに算出され得る。測定ノードはしたがって、複数の受信器並びに／または複数のアンテナポートを含み得る。
【００１６】
受信器は、一つの変形では、ロングタームエヴォリューション（LTE）に準拠する。そのような場合では、検出確率とフォールスアラームレートのうちの少なくとも一つは、アップリンクサウンディング参照信号（SRS）を含む無線信号に対して算出され得る。
【００１７】
参照チャネルは、無線信号送信に対して特定されてもよい。ここに言及された、事前に定義または構成されたRF性能メトリック値または参照結果は、参照チャネルに適合され得る。
【００１８】
参照チャネルは、SRSのような物理参照信号に対して特定されてもよい。参照チャネルは、LTE受信器に対するアップリンクSRSのようなSRS検出可能にするために、一つ以上のSRSパラメータを送信するために使用されてもよい。
【００１９】
方法において、参照チャネルは以下のパラメータ、変調、信号シーケンス、時間並びに／または周波数リソースを含む送信または受信スケジューリング、セル関連C-RNTI、参照信号が得られる無線デバイスに関連する符号や特定のシーケンス、複信構成、CA構成、電力制御パラメータ、EARFCN、ULサイクリックプリフィックス、セルのULシステム帯域幅、セル固有SRS帯域帯構成、UE固有帯域幅構成、SRS送信のためのアンテナポートの数、SRS周波数領域位置、SRS周波数ホッピング帯域幅構成、SRSサイクリックシフト、SRS送信コム（comb）、SRS構成インデックス、TDDにのみ使用されるMaxUpPt、グループホッピングが可能かの表示、デルタSSパラメータ、の一つ以上により特徴付けられる。
【００２０】
受信器または受信器を含む測定ノードは、到着時間差（Time Difference of Arrival（TDOA））と相対到着時間（Relative Time of Arrival (RTOA)）測定のうちの少なくとも一つに対して適合されてもよい。TDOA測定は、LMUにより実行されるアップリンクTDOA（U-TDOA）測定であってもよい。
【００２１】
方法はまた、取得されたRF性能メトリック推定値に応答して、または適応的に基づいて、ポジショニング測定とタイミング測定の少なくとも一つを構成することを含んでもよい。一実施形態では、該構成は、測定ノードに関連する試験装置ノードにより実行される。
【００２２】
また、コンピューティングデバイスにより実行された場合に、ここに示すいずれかの方法を実行するプログラムコード部分を含むコンピュータプログラム製品が提供される。コンピュータプログラム製品を実行するコンピューティングデバイスは、試験装置ノードにより実現されてもよい。
【００２３】
コンピュータプログラム製品は、CD-ROM、DVDや半導体メモリのようなコンピュータ読み取り可能な記録媒体に格納されてもよい。コンピュータプログラム製品はまた、有線のネットワーク接続や無線のネットワーク接続を介したダウンロードに対して、提供されてもよい。
【００２４】
さらなる観点によれば、ポジショニング測定とタイミング測定の少なくとも一方のために使用される受信器に対するRF性能メトリック推定値を取得する装置が提供される。該装置は、測定に使用できるな無線信号の検出確率とフォールスアラームレートの少なくとも一つを計算するように構成される。該装置はさらに、計算された検出確率と計算されたフォールスアラームレートの少なくとも一方に基づいて、受信器に対する少なくとも一つのRF性能メトリック推定値を取得するように構成される。
【００２５】
装置は、試験装置ノードに含まれてもよい。試験装置ノードは、独立型ノードであってもよく、または、別のノードに統合されてもよい。
【００２６】
さらに、試験装置ノードと、受信器を含む少なくとも一つの測定ノードを含む、受信器性能管理システムが提供される。少なくとも一つの測定ノードは、LMUと、RF性能メトリック推定値が得られる受信器を含む進化型NodeBの少なくとも一方を含んでもよい。
【００２７】
受信器は、一般的には、（例えば以下に定義されるように）受信器RFタイプに準拠する。そのような場合、受信器性能管理システムは、事前に定義され、または構成されたRF性能メトリック値と、以下に説明されるような参照結果の少なくとも一方を満たすように、受信器のRFタイプを適合させるように構成される。
【図面の簡単な説明】
【００２８】
ここに示される技術の、さらなる観点、利点、および詳細は、例示的な実施形態と図面を参照してより詳細に説明されるだろう。
【図１】図１は、本発明の実施形態に従う測定ノードシステムの実施形態を示す。
【図２】図２は、本発明の実施形態による受信器の前工程の構成を示す。
【図３】図３は、本発明の実施形態に従うデジタル信号プロセッサを伴う受信器構成を示す。
【図４】図４は、測定ノードの実施形態を示す。
【図５】図５は、本発明の実施形態による受信器性能管理システムを示す。
【図６】図６は、本発明による方法の実施形態のフロー図を示す。
【図７】図７は、本発明に従うRF受信器構成を適合させるネットワークノードを示す。
【図８】図８は、本発明による別の方法の実施形態のフロー図を示す。
【発明を実施するための形態】
【００２９】
例示的な実施形態の以下の記述において、説明と非限定であることを目的として、ここに示される技術の完全なる理解を供するために、特定の詳細が示される。これらの特定の詳細から離れた他の実施形態において該技術が実践されてもよいことは、当業者にとって明らかであろう。例えば、以下の実施形態は、LTEとLMUsを参照して主に記述されるが、ここに示される技術は、それらの例に限定されないことが理解されるだろう。
【００３０】
さらに、当業者であれば、以下に説明されるサービス、機能および工程は、プログラム化したマイクロプロセッサ、特定用途向け集積回路（ASIC）、デジタルシグナルプロセッサ（DSP）、汎用コンピュータと共に機能するソフトウェアを用いて実装され得ることを理解するだろう。以下の実施形態は、方法と装置に照らして主に記述されるが、ここに示される技術は、コンピュータプログラム製品においてだけでなく、コンピュータプロセッサ該プロセッサに結合されたメモリを含むシステムにおいても具体化されてもよい。メモリはここに開示されるサービス、機能および工程を実行することが可能な一つ以上のプログラムを含んで符号化されている。
【００３１】
本発明は、無線通信ネットワークに関連し、特に、無線信号において行われる測定に基づいたポジショニングをもたらすネットワークに関する。しかしながら、他のサービス、および、記述された実施形態のいくつかは、ポジショニングに限定されず、eNodeBのような汎用無線基地局のようなノードに対しても適用される。以下に使用される略語は、最初に現れた直後に定義されない限り、この詳細な説明の最後に定義される。
【００３２】
以下において、いくつかの一般的な説明は、無線の必須要件とポジショニングに関連して供され、本発明の解決策と実施形態の少なくともいくつかの基礎となり、また本発明の解決策と実施形態の少なくともいくつかを補完する。「実施形態」と「解決策」の語は、ここでは同じ意味に用いられる。
【００３３】
［無線要件］
ユーザ機器（UE）および基地局は、無線デバイスが干渉を制限することを保証するために、RF送信器とRF受信器の特定の一組を満足する必要があり、かつ、干渉の一定のレベルに各々対処する必要がある。
【００３４】
より具体的には、帯域外（Out of band (OOB)）とスプリアス発射の必須要件が、RF送信器の必須要件の一部として、対応し得る。OOBとスプリアス発射の必須要件の目的は、各動作帯域幅の外側の送信器（UEまたはBS）に起因する干渉を隣接のキャリアまたは隣接の帯域に制限することである。実際、すべての無線通信規格（例えば、GSM、UTRAN、E-UTRAN、WLANなど）では、明確に、少なくとも不要の発射を制限または最小化するためのOOBとスプリアス発射の要件を規定している。それらは、主に国家と国際の規制機関（例えば、ITU-R、FCC、ARIB、ETSIなど）により承認され設定されている。
【００３５】
主たる不要な発射の要件は、典型的には標準化団体により規定されており、結果としてUEと基地局に対して、異なる国々と地域における規定者により強制される。該要件は、
‐隣接チャネルの漏出率（ACLR）
‐スペクトラム発射マスク（SEM）
‐スプリアス発射
‐帯域内不要発射
【００３６】
これらの要件の特定の定義及び特定されたレベルは、一つのシステムと他で変わり得る。典型的には、これらの要件は、いくつかの場合において、動作帯域幅または帯域外における発射レベルが、動作帯域幅における所望の信号と比較して数十dB低いままであることを保証する。OOBとスプリアス発射は、動作帯域からさらに離れて動的に減衰する傾向があるが、少なくとも隣接キャリア周波数において完全には取り除かれない。
【００３７】
主たるRF受信器要件は、典型的には標準化団体により規定されており、場合によっては、異なる国々と地域における規定者により強要される。該要件は、
-受信器感度
-隣接チャネル選択性（ACS）
-チャネル内感度
-スプリアス発射
-ブロッキング：帯域内、帯域外、狭帯域など
-3GPPにおける受信器RF特性に対する性能メトリック
【００３８】
LTEでは、LMUノードは、UEによってULにおいて送信されたSRSを受信する無線ネットワークノードであり、UTDOAポジショニングのために受信した信号に対してUL RTOA測定を行う。LMU受信器の適切なRF性能を保証するために、対応する受信器要件とテストケースが開発され、特定されなければならない。試験用の受信器の特性は、取得された性能と各要件に対する参照メトリックとの比較に基づいて検証される。
【００３９】
LTEでは、一般的には、LMUに対するRF要件やLTE ULポジショニングに対するRF要件は現在ない。
【００４０】
GSM
GSM基地局［3GPP TS 45.005, v10.6.0］に対するRFの必須要件では、フレーム消去率（FER；サンプリングされたフレームに対する消去されたフレームの割合として定義される）、ビット誤り率（BER；全受信ビットに対する誤りを有して受信されたビットの割合として定義される）、または残余ビット誤り率（RBER；フレーム消去後の全ビットに対する誤りを有して受信されたビットの割合として定義される）が、関連する受信器のRF必須要件において性能メトリックとして使用される。
【００４１】
同じ性能メトリックはまた、ULトラフィックチャネルにおけるTOA測定を実施するLMU受信器に対しても使用される。
【００４２】
UTRA
UTRA無線基地局［3GPP TS 26.104, v10.7.0］とUTRA LMUs［3GPP TS 25.111, v11.0.0］に対するRF要件では、性能メトリックは、典型的にはビット誤り率（BER）である。要件によれば、BERは試験用のRF受信器の特性に対応した特定の値、例えば0.001を超えないものとされる。
【００４３】
UTRAでは、測定はデータチャネル（12.2 kbps、例えば、要件において、音声、参照測定チャネルが使用される）において行われるため、ULポジショニングに対するRF必須要件においてBERメトリックを用いることは合理的である。
【００４４】
LTE
LTE無線基地局に対する受信器RF推定において、共通の参照性能メトリックは特定の参照測定チャネルに対して最大のスループットである。典型的な受信器RF要件において、参照測定チャネルの最大のスループットの少なくともX％（例えば95％）が、試験用のRF受信器特徴に対応する特定の条件において得られるべきである。
【００４５】
LTE BSsに対して使用されるスループットメトリックは、LTE LMUsに関係しない。なぜならば、LTE ULポジショニング測定は、より高いレイヤの情報を含まないパイロット信号（より正確にはSRS）において行われ、スループットメトリックにより特徴付けられないからである。
【００４６】
［ポジショニング］
いくつかの実施形態はポジショニングを求めているので、ポジショニングに対して関連性のある背景が供される。移動デバイスの位置を決定する可能性によって、アプリケーション開発者と無線ネットワークオペレータは、位置情報サービスと位置認識サービスを提供できるようになった。それらの例は、案内システム、ショッピング支援、友人検知、プレゼンスサービス、地域とコミュニケーションのサービス、および、周囲についての移動ユーザ情報を提供する他の情報サービスである。
【００４７】
商業サービスに加え、いくつかの国の政府は、緊急呼び出しの位置を決定することのできるネットワークオペレータに対する要件を課す。例えば、USAにおける政府の必須要件（FCC E911）では、全ての緊急呼び出しのうちの特定の割合の位置を決定することができなければならないことが規定されている。室内と室外の環境の間に要件の違いはない。
【００４８】
多くの環境において、位置は、全地球ポジショニングシステム（GSM）に基づいたポジショニングシステムを用いることによって正確に測定することができる。しかしながら、GSMベースのポジショニングは、（例えば、都市環境や室内環境において）たびたび意に沿わない性能をもたらす。したがって、補充のポジショニング方法が無線ネットワークにより提供されてもよい。UEベースの（GSMを含む）GNSSでは、以下の方法が、制御プレーンとユーザプレーンの両方に対するLTE標準において利用可能である。
●セルID（CID）  −  一つ以上のセルIDを用いた基本のポジショニング方法
●ネットワークベースのAoAを含むE-CID  −  AECIDを含むこれらの方法は、UEの位置を決定するために、例えばUE送信‐受信時間差、eNodeB受信‐送信時間差、LTE RSRPまたはRSRQ、HSPA CPICH測定、AoAなどのようなDL並びに／またはLの多様な測定を用いる
●（A-GPS）を含むA-GNSS  −  衛星信号において実行されるタイミングを測定を用いる方法、
●到達観測時間差  −  UEの位置を決定するために、例えば異なるeNodBにより送信されるDL無線信号上で、UEにより実行されるタイミング測定（例えばLTEにおけるRSTD）を用いる方法
●UL到達時間差  −  現在標準化されている  −  は、UEの位置を決定するためにUEにより送信されるUL無線信号上で、例えばeNodeBsやLUMsにより実行されるタイミング測定（例えば、LTEにおけるUL RTOA）を用いる方法
である。
【００４９】
LTEにおけるポジショニング構造
LTEポジショニング構造における3つの極めて重要なネットワーク要素は、LCSクライアント、LCSターゲット、およびLCSサーバである。LCSサーバは、物理的なエンティティまたは論理的なエンティティであり、測定や他の位置情報を収集したり、必要な際に測定における端末を支援したり、LCSターゲット位置を推定することによりLCSターゲットデバイスに対するポジショニングを管理する。LCSクライアントは、ソフトウェアエンティティ並びに／またはハードウェアエンティティであり、一つ以上のLCSターゲット、すなわち、位置づけされるエンティティ、に対する位置情報を得ることを目的としてLCSサーバと相互に作用する。LCSクライアントは、ネットワークノード、外部のノード、PSAP、UE、無線基地局などに存在し、それらは、LCSターゲット自身にも存在し得る。LCSクライアント（例えば外部のLCSクライアント）は、位置情報を得るために要求をLCSサーバ（例えばポジショニングノード）へ送信し、LCSサーバは、受信した要求を処理し、サーブし、ポジショニング結果と、オプションで速度推定をLCSクライアントへ送信する。
【００５０】
位置の計算は、例えば、ポジショニングサーバ（例えば、LTEにおけるSMLCまたはSLP）またはUEにより行われる。後者は、UEベースのポジショニングノードに対応するが、前者は、ネットワークベースのポジショニング（LUMsまたはeNodeBsのようなネットワークノードから集められた測定に基づくネットワークノードにおける計算）、UE支援ポジショニング（UEから受信された測定に基づいてポジショニングネットワークノードにける計算）、LMU支援（LUMsから受信された測定に基づくポジショニングネットワークノードにおける計算）等であり得る。
【００５１】
図１は、3GPPにおいて現在議論されているUTDOA構造を示す。ここに示される技術は、図１に示される構造に関連づけられて実行され得、オプションとして、図２と図３に示されるようなLMU受信器構成のための構造に関連づけられて実行され得る。
【００５２】
図２に示されるように、例示的な受信器200は、LNA202を含み、フィルタ204と第一の局部発信機208からの信号も受信するミキサ206が続く。ミキサ206のダウンストリームとして、増幅器212が続くSAWフィルタ210が提供される。増幅器212には、第2の局部発信機216から更なる信号を受信する更なるミキサ214が続く。ミキサ214のダウンストリームとして、別のフィルタ218とADC220が提供される。
【００５３】
図３の受信器は、周波数変換ステージ304と中間周波数（IF）フィルタ306が続くRFフィルタ302を含む。IFフィルタ306のダウンストリームとして、ADC308とデジタルダウンコンバータ310が提供される。デジタルダウンコンバータ310には、測定報告を生成するように構成されたDSP312が続く。測定報告は、試験装置ノード（図３には不図示）から受信され得る。DSP312により生成された測定報告に基づいて、ここで説明されるRF性能メトリック推定値は、試験装置ノードにより生成され得る。
【００５４】
UL測定は、基本的には無線ネットワークノード（例えば、eNodeB）により実施されるが、ULポジショニング構造は、例えば論理的なノード並びに／または物理的なノード、無線基地局に統合され、ソフトウェアまたはハードウェア機器のいくつかを無線基地局と共有し、または、（アンテナを含む）自己の機器を有する完全に独立型のノードである、（LMUsのような）特定のUL測定ユニットを含み得る。構造は、まだ最終決定されていないが、LMUとポジショニングノードとの間に通信プロトコルが存在し、LPPaに対するいくつかの強化またはULポジショニングを支援する同様なプロトコルが存在する。E-SMLCとLMUとの間の新しいインタフェース、SLmは、アップリンクポジショニングのために標準化されている。インタフェースは、ポジショニングサーバ（E-SMLC）とLMUとの間で終結する。それは、SLmAPプロトコル（ULポジショニングのために規定される新しいプロトコル）メッセージをE-SMLC-to-LMUインタフェースを介して伝送するために使用される。例えば、LMUは独立型の物理的ノードであり、eNodeBに統合され、または、eNodeBに伴うアンテナのような、少なくともいくつかの機器を共有し得る  −  これらの3つのオプションは図１に示される。
【００５５】
LPPaは、eNodeBsに対して情報とeNodeBの測定を尋ねることにより、ユーザプレーンのポジショニングの支援をまだ行うことができるが、eNodeBと、制御プレーンポジショニング手順に対してのみ規定されるLCSサーバとの間のプロトコルである。LPPaは、DLポジショニングとULポジショニングに対して使用され得る。
【００５６】
LTEにおいて、UTDOA測定、UL RTOAは、サウンディング参照信号（SRS）上で実施される。SRS信号を検出するために、LMUは受信した信号に相関するSRSシーケンスを生成するために、いくつかのSRSパラメータを必要とする。SRSシーケンスを生成し、SRS送信がいつ起こるかを判断するために使用されるSRSパラメータは、ポジショニングノードによりLMUに送信された支援データにおいて提供され得る。これらの支援データは、SLmAPを介して提供される。しかしながら、これらのパラメータは、UEによって送信され、LMUによって測定されるSRSを構成するeNodeBからこの情報を取得する必要があるポジショニングノードに対して一般的に知られていない。この情報は、LPPaにおいてeNodeBによりE-SMLCへ提供される必要があるだろう。
【００５７】
規格において、RF構成情報交換を支援する手段は限られたものしかなく、したがって、この情報を用いる方法がないことが知られている。これはまた、受信器RF構造は、最近、ハードウェアに完全に依存し、これにより、柔軟性は許容されず、RF受信器の柔軟性を支援する必要性を要求することはないという事実に起因している。また、受信ダイバーシチ、UL MIMO以外でeNBにおける異なる実施形態間の必須要件はない。さらに。受信器の特性を利用する柔軟性はない。
【００５８】
このことは、いくつかの欠点に結びつく。現在、ULポジショニング測定のための制御または受信器の性能の試験を行うための方法は、特に、受信ノードが無線基地局でない場合、または、測定が高いレイヤの情報（例えばデータチャネルでないような）を含まない物理無線信号上で実施される場合には、存在しない。さらに、ポジショニング測定のための受信器RF構成を適合化する方法は現在存在しない。受信器RF構成を別のノードと相互的に適合化する方法は、現在存在しない。従来技術では、ノイズ無しの推定またはノイズを乗せた全干渉の推定がLMUsにより行われているが、それは受信器RF構成の適合化に対して使用されていない。現在、二つのノード間でRF構成情報を交換するためのシグナリング手段は存在しない。
【００５９】
一つの一般的な観点では、これらの欠点は、無線通信規格に従った信号を受信するための一つ以上のRF受信器を有する無線ネットワークのノードにより解決する。ノードは、RFタイプ情報を含むメッセージにおいてそのRF受信器機能を提供する。
【００６０】
一つの変形において、ノードは、RFタイプ情報を含む受信器メッセージに基づいて、そのRF受信器機能を適合させる。
【００６１】
RF受信器機能は、特定のRF特性を有するRF受信器構成により決定されてもよい。
【００６２】
ノードにより送信されるメッセージにおけるRFタイプ情報は、現在のRF特性を伴う現在のRF受信器構成、または、RF特性の範囲を伴う可能性のあるRF受信器構成を報告し得る。
【００６３】
ノードは、報告されたRFタイプ情報を、一方的に、または、それらを報告するための要求を受信した後に、提供し得る。
【００６４】
受信したメッセージにおけるRFタイプ情報は、設定されるRF受信器構成または現在のRF受信器構成のRF特性のための性能目標のいずれかを特定することにより、現在のRF受信器構成を制御し得る。
【００６５】
ノードは、RFタイプ情報を制御することを求めるための要求を発行し得る。
【００６６】
上記の観点は、いくつかの実施形態において使用することができ、独立した実施形態として、または、異なる方法で組み合わされて実装され得る。いくつかの例示的な実施形態は以下の通りである：
●第一のノードにおいて、RFタイプ情報を取得して使用する方法
●第一のノードとの相互作用に基づいて測定ノードの受信器RFタイプを適合させる（即位することに限定されない）方法
●ポジショニングのための測定ノードの受信器RFタイプを適合させる方法
●ポジショニング測定並びに／またはタイミング測定を行うためのRF性能を推定する方法
【００６７】
上記の実施形態は、互いに異なる組み合わせで使用されてもよい。
【００６８】
上記の方法は、いくつかの実施形態において、構造や配備の詳細は、追加的な性能の利益を得るために使用されてもよいが、特定の構造並びに／または測定ノードの配備タイプ（例えば、共同のサイト、共同の位置、LMU結合型／共有型／独立型、など）を必要としない。
【００６９】
以下の長所の少なくとも一つ以上、または他の利点が想定される。
●ポジショニングすることに限定されない、RF構成情報を交換する新しいシグナリング手段
●全ての測定ノードに有効な、ポジショニングのための適応RF構成を可能とする
●解決策は、構造透過型であり、例えば自主的なRF構成適応を伴う自己適応ノードの動きを促進する。
【００７０】
［解決策１：第一のノードにおいて、第二のノードに関連するRFタイプ情報を取得して使用する方法］
実施形態、すなわち解決策１は、独立型の解決策、または、ここに記述される一つ以上の他の解決策の組み合わせである。さらに、いくつかの実施形態において解決策１の実施形態が解決策２と組み合わされたとしても、解決策１の実施形態は、受信器RFタイプを適応的に構成する能力を有する、すなわち測定する目的に必ずしも限定されないあらゆる無線ノードと共に使用されてもよい。この場合の適応化は、解決策２からの一般化された（測定する目的に限定されない）実施形態に応じて実行されてもよい。適応構成は、いくつかの実施形態において、所定のルールに従ってもよい。
【００７１】
本発明のこの部分の基本的な実施形態によれば、第一のノードは、第二のノードの受信器RFタイプについての情報を取得し、それを、一つ以上の無線ノード並びに／または無線ネットワーク管理タスクのために使用する。一つの詳細な例では、無線ネットワーク管理タスクは、一般的にはポジショニングすることに関連し、または、特定のポジショニング方法（例えば、UTDOAまたはULポジショニング；OTDOAまたはDLポジショニング）またはサービス（例えば、緊急ポジショニング、高データレートサービス）または特定の無線ノードタイプ（例えば、LMUやeNodeB）に関連する。
【００７２】
無線ノードと無線ネットワーク管理タスクの例は、以下の通りである。
●第二のノードにより実行される一つ以上の無線測定（例えば、ポジショニングUL RTOAの測定、移動性測定、RF測定など）構成する。ここで、一つの例では、一つ以上の測定構成パラメータは、受信器RFタイプに適応的に選択される。
●無線測定を実施するための一つ以上の第二のノードを選択する。例えば、
・測定のために、一つ以上の対象とする無線デバイスに対するULポジショニング測定      を実行、または、CoMPのために一組の無線ノードを選し、または、DASにおいて一      組の送信／受信アンテナを選択、一組のRRUsまたはRRHsを選択するための一組の協      働／支援LMUsを選択並びに／または構成する。
●ポジショニングの方法を（再）選択する（例えば、一つ以上の第二のノードに含まれる利用可能な受信器のRFタイプが特定の基準または要件を満たさない場合に、対象とする無線デバイスのための異なるポジショニングの方法を選択する）。
●RRMおよび移動性（例えば、第二のノードの受信器RFタイプに適応する無線デバイスに対する電力制御構成またはセル選択／再選択を適合させる）。
●干渉調整（例えば、受信器における測定を可能にし、または容易にするために他の無線ノードからの干渉した送信を、第二のノードの受信器RFタイプを適合させて制御する）。
●第二のノードの性能試験と性能の検証（例えば、特定の所定のルールや検証される要件は、受信器RFタイプに応じて適応的に選択され、または、所定の無線環境条件が受信器RFタイプに応じて適応的に構成される）。
●データベースにおいてネットワークの性能統計またはノードの性能統計を収集する、
●MDT、SDN、O&M
●第二のノードの受信器RFタイプに応じて適応的に第一のノードの無線機器を構成する（例えば、第一のノードと第二のノードにより機器が共有される場合、または、第二のノードが第一のノードに統合される場合）。
●第二のノードの無線機器を構成する必要性を要求または示唆する、または、所望のRF性能目標を示唆する。
・示唆は、特定の要求された構成、ルールの示唆、または、どの構成が選択され得る      かに基づいて選択され得る構成を含み得る。
・測定ノードは、新しい受信器RFタイプを伴う測定を再度行い、または、新しい受信      機タイプを伴う特定の測定を実行するように要求され得る。
・一定の時間や事象の後、ある時間帯で、測定のサービスのみに、特定の無線デバイ      スをサービスするために、特定の測定や測定タイプに対して、第二のノードは、受      信機RFタイプを変更することを要求され得る。
・解決策１の実施形態と、解決策２のこれらの一般化された実施形態によれば、第二      のノードの受信器RFタイプの適合化は、第一のノードと相互作用的に行われ得る。      適合化はまた、所定のルールは工程に従い、または、適合化の間に所定の構成間の      中から選択してもよい。相互作用は、第一のノードからの指示や勧告であってよく      、閉ループ手順または開ループ手順において、すなわち、RF構成並びに／または第      二のノードからの情報に関連するRF性能を有し、または有さずに、構築されてもよ      い。したがって、第二のノードがその構成を適合化するだけでなく、第一のノード      も適合化し、または、適合化に参加する。
●例えば、結果が意外な反応であり、並びに／または所望の／期待した性能より悪ければ、正常な状態の測定との比較によって、追加的な測定を実行するよう、または、一定の受信器タイプを伴う測定を一回以上再度行うことを第二のノードに命令する。
●第二のノード、第一のノードまたは第三のノードのうちの一つ以上の送信スケジューリング構成（例えば、いくつかのRF構成は、より効率的な周波数ホッピングや周波数ダイバーシチを許容する）。
●第二のノード、第一のノードまたは第三のノードのうちの一つ以上の構成の受信スケジュール構成（例えば、いくつかのRF構成は、より効果的な周波数ホッピングや周波数ダイバーシチを許容する）。
●第一のノードの電力またはエネルギー消費制御
【００７３】
第二のノードは、測定ノードである。第二のノードのいくつかの例は、LUM、eNodeB、無線デバイス、または一般的に測定をポジショニングすることを事項する無線デバイスである。
【００７４】
第一のノードのいくつかの例は、ネットワークノード（例えば、O&M、ポジショニングノード、SONノード、eNodeB、制御またはゲートウェイノードなど）または試験機器または他の無線デバイスである。
【００７５】
第一のノードは、第二のノードの受信器RFタイプ情報を、例えば以下により取得してもよい。
●第二のノードからシグナリングされた情報を受信すること。例えば、
・低レイヤのシグナリング（例えば、個別制御チャネルまたは物理制御チャネル、物      理ブロードキャストチャネル／マルチキャストチャネル）
・高いレイヤのシグナリング（例えば、RRC、X2、LPP、LPPa、SLm-APプロトコル）
・低いレイヤのシグナリングと高いレイヤのシグナリングの組み合わせ
●第二のノードにより自動的に使用される構成を発見すること
●第三のノードを介して（例えば、調整ノード、ポジショニングノード、O&M、SONノードを介して）受信すること
●データベースまたはコンピュータ読み取り可能な媒体から受信器RFタイプを取得すること
【００７６】
第二のノードの受信器RFタイプ情報は、別のノードから第一のノードにより、第一のノードからの要求に応じてまたは一方的なやり方により（例えば第二のノードにおけるトリガ条件やイベントに応じて、または周期的に）受信されてもよい。第二のノードにおけるトリガ条件やイベントのいくつかの例は、一定の環境や干渉条件を決定することに応じて（例えばベースバンドまたはRF測定に基づいて）受信器RFタイプの変化（そしてゆえに受信器RFタイプの変化を引き起こし得る条件／イベントに関連する）、非活動な状態の期間の後、受信器を作動させる、無線ネットワークにアクセスするまたはセルに結合する、所定の地理的な領域（例えばビルや車両）または論理的な領域（例えばセル、追尾領域、同期領域、局所的領域）に入るまたは所定の地理的または論理的な領域から出る、別のノードから所定のメッセージを受信する、ことであり得る。
【００７７】
受信器RFタイプは、第二のノードにより申告されてもよく、また、第二のノードにおいて静的に事前に構成され、またはハードウェアに関連づけられてもよく、また、準静的または動的に構成されてもよい（例えば解決法２を参照）。一つの特定な例では、第一のノードと第二のノードは、一つの統合され別のもの（例えば、LUMはeNodeBに統合される）となってもよく、いくつかの機器（例えば無線アンテナ）を共有し、並びに／または専有のインタフェースを介して通信してもよい。第二のノードの受信器RFタイプは、したがって相互レイヤ通信を介して、または専有のインタフェースを介して、第一のノードにより取得され得る。
【００７８】
第二のノードにおいて構成される受信器RFタイプは、以下の一つ以上の条件により決定され、または一つ以上の条件に依存し、または一つ以上の条件に関連する。
●マルチキャリアのサポートまたはマルチキャリアの構成
●CAのサポートまたはCAの構成（例えば、帯域内、帯域外、CAに対する帯域の組み合わせ、CAに対する帯域幅の組み合わせ、CAに対するRATの組み合わせなど）
●RATのサポート（例えば、特定のRAT、シングルRAT、マルチRAT、マルチモードのサポート、マルチスタンダード無線（MSR）など）
●隣接の操作スペクトラムまたは非隣接の操作スペクトラムを含む、周波数、周波数領域と周波数帯のサポート、並びにそれらの組み合わせ
●ネットワーク配備タイプ（例えば、それぞれ一つまたはいくつかの無線ネットワークノードクラスの配備を有する、均質な（ホモジーニアスな）配備または異質な（へトロジーニアスな）配備、マルチアンテナ配備、CoMPまたはDASやRRHsやRRUsあり／なしの配備、中継器、HeNB、CSG HeNBs、リピータ、ピコBSのような一定のタイプの無線ネットワークノードを含む配置）
●測定ノードの配備タイプ、例えば
・測定ノードが、無線インタフェースを介した測定のための物理無線信号を受信する      ノードに統合される
・測定ノードが、物理無線信号を受信するノードを有する無線機器を共有する
・測定ノードが、物理無線信号を受信する一つ以上の無線ノードと接続する
・測定ノードが、受信アンテナ並びに／または送信アンテナを配備する
・測定ノードが、別の無線ネットワークノードなどと共同のサイト、共同の配置また      は一定の距離を有する
・測定ノード（LMU）と別のノード（例えばeNodeB）や領域との関連性、例えば
‐関連性は、別のノードにより要求または決定され、またはLMUにより自発的に選        択され、または、所定のルール（例えば、距離、無線伝搬、パス損失、受信信号        強度または品質等に基づく）に従う。
‐別のノードは、測定ノードが今別のノードに関連づけられていることを知らされ        てもよい。
‐関連性は、測定ノードと別のノードとの間でハンドシェイクすることにより決定        されてもよい。
・無線環境タイプ（例えば、室内／室外、都市／準都市／地方、豊富な（rich）マル      チパス有り／無し）
・一定の方法でまたは一定の干渉レベルで干渉に対処する能力に関連する受信器タイ      プ（例えば、干渉低減、干渉キャンセルなど）
・サービスタイプまたは測定タイプ
・複信モードまたは複信構成、例えばFDD、TDD、半複信FDD、動的TDDなど、
・電力消費とエネルギーレベル（例えば、一般的または特定の要素のための、受信器      電力消費クラスまたはプロフィール、例えばDSP、電力消費制限、電池残量など）
・チャネル帯域幅または受信器RF帯域幅（利用可能、必要とされる、サポートされる      、または構成される、など）
【００７９】
上記の条件は、受信器RFタイプを動的い構成するためにも使用されてもよい（解決策２における実施形態をより参照のこと）。
【００８０】
［解決策２：ポジショニングのために受信器RFタイプを適合させる方法］
この方法は、独立型の実施形態であり、または、ここに記述される他の解決策と組み合わされてもよい。
【００８１】
本発明のこのパートの基本的な実施形態によれば、測定ノード（例えば、eNodeB、LMU、または無線デバイス）は、ポジショニングの測定を行うために少なくともその受信器RFタイプを適合化させる（例えば、一つ以上のRF構成パラメータ−この記述の最後の略語の定義を参照）適合化は、静的、準静的、または動的な方法であってよい。いくつかの実施形態では、例えば、測定ノードがさらに無線信号を送信可能な場合と、特に測定ノードが無線信号を同時に送信・受信できる場合、測定ノードはまたその送信器RF構成を適合させる。ポジショニングの測定の例は、TOA、TDOA、RTT、UL RTOA、RSTD、UE Rx-Tx、eNodeB Rx-Tx、タイミング前進、一方向伝搬遅延などである。ポジショニング測定は、ULの測定、DLの測定、または両方であってもよい（例えば、RTT、UE Rx-Tx、eNodeB Rx-Tx、およびタイミング前進は、DLとULの両方の構成要素を有する）。
【００８２】
適合化は、異なる方法で測定ノードにおいて開始されてもよい。
●別のノードから（例えばポジショニングノード、O&M、SON、MDT、eNodeBなどから）測定ノードにより受信されたポジショニングまたはポジショニング測定の要求
‐受信した要求は、RF受信器タイプを適合させるための明確な要求（例えば、測定        ノードは、その受信器RFタイプを適合させることを明確に要求される。要求は、        受信器RFタイプ、受信器により満たされる条件、受信器RFタイプを適合させるた        めに使用されるルール、または受信器RFメトリックの目標値を示し得る。第二の        ノードは、そのような要求に対して受信器RFタイプを適合させることに失敗した        ことを示す）または暗示的な要求（例えば、受信したポジショニングに関連する        要求に対して測定ノードは受信器RFタイプを適合させるように試みる）を含み得        る。
‐目標とするRF性能に達しない場合、受信器ノード（別名は測定ノード）は、失敗        したこと、または一定の目標のRF性能が満たされず、もしくは満たすことができ        ないことを示す表示をも報告してもよい。これに対する理由（例えば、一般的に        は、ソフトウェアやハードウェアの制限または故障、メモリの制限、またはRF構        成チェーンにおけるある構成要素、電力やエネルギーの制約）も示される。
●開始する条件またはイベント、例えば
‐解決策１に対する上記に挙げた条件のいずれか、例えば、測定ノードが一定の周        波数または周波数帯または一定の測定の構成（例えば、CAまたはインターRAT）        で測定を実行するように要求された場合に、測定に対して使用される受信器RFタ        イプがこの条件に適応的に決定され得る。
‐タイマ並びに／またはカウンタが一定のレベルより上または下である・
‐測定ノードにより実行される無線測定は、比較により第一の結果が提供された場        合に開始され、それ以外の場合は適合化は開始されない。
‐一定の干渉条件が測定ノードにより決定され、または測定ノードに指示される。      例えば、
○干渉推定は、ベースバンド測定並びに／またはRF測定の一つ以上、またはベー          スバンド測定並びに／またはRF測定の一つ以上から導出される。
‐一定の無線環境タイプが測定ノードにより決定される（例えば、LMUはセルに対        してDL測定を実行し、または、マクロセル並びに／または無線デバイスの近くに        いることを判断するためにUL干渉測定を実行してもよい。）
‐（例えば履歴データ、セルID、測定などに基づく）以前に経験した環境の環境認        識。
例えば、
○以前の適合化の結果が、同じ環境または似た環境を認識するうえで保持され再          利用されてもよい。
‐第二のノードの性能は、閾値より下または上である。（例えば、性能が閾値より        上である場合、より電力とリソース消費が小さい、より緩い受信器RFタイプが選        択され、性能が閾値より下である場合、より消費されるリソースへ導かれる、要        求の多い受信器RFタイプが選択される。解決策３も参照。）
‐RF性能が第一の閾値を下回る（例えば許容可能範囲より悪い）、または第二の閾        値を超える（例えば、よすぎる場合は、リソースの確保が考慮されてもよい）（        解決策３も参照）。
例えば、
○領域に対して、一つ以上のサービスや測定タイプに対して、ある期間に渡って        、など
‐測定性能（例えば、測定品質、測定時間、測定正確性）が閾値より低いまたは高        い。
例えば、
○一つ以上の測定、一つ以上の無線デバイス、領域における一つ以上の無線ノー        ドに対して、ある期間に渡って、など、
‐サービス性能（例えば、音声品質、接続品質、ポジショニング結果の正確性など        ）が閾値より低いまたは高い。
例えば、
○領域に対して、一つ以上の無線ノードに対して、ある期間に渡って、など
【００８３】
受信器RFタイプの適合化は、例えば、可能性のある一組の受信器RFタイプのセットから受信器RFタイプを選択することと、それにしたがって受信器を構成することを含む。ノードはさらに、選択した受信器RFタイプを別のノード（例えば、ポジショニングノード、eNodeB、O&M、隣接無線ノード、試験機器など。より多く例については解決策１を参照）に信号で伝えてもよい。
【００８４】
適合化は、測定ノードにより自発的に行われ、または、他のノードからの支援を受けてまたは他のノードとの相互作用により実行され得る。
【００８５】
適合化は、一定の時間並びに／または周波数の場において（例えば時間または周波数パターンにより記述される）において、一つ以上の受信器に対するもの（例えば、ノードが複数の受信器を持つ場合）、一つ以上の特定のサービスに対するもの、一つ以上の特定の測定または測定タイプに対するもの、一定時間に対するもの、一定の周波数（キャリア、CC、周波数バンドまたはその一部など）に対するものであり得る。
【００８６】
古いRF構成を有する受信器と適合されたRF構成を有する受信器を使うことの間で許容された一定（例えば事前に定義された）の最低時間または移行時間があり得る。
【００８７】
受信器RF構成の変化に際し、無線ノードにおいてイベントを開始する別のアクションがあり得る。例えば、
●別のノードに、RFタイプが変化したことを示すこと並びに／またはそのような指示をローカルのデータベースに記憶すること（例えば、追加的な情報、時間スタンプ、一つ以上の測定、理由、新しい構成などのうちいずれか一つ以上）。
●RF構成情報を別のノード（例えばポジショニングノード、MDT、SON、O&M、eNodeBなど）に信号伝送する（並びに変化の理由を示すこともあり得る）。
●干渉に対処するための受信器アルゴリズムを選択または適合化する（例えば、干渉キャンセルまたは干渉低減または該２つのいずれかを用いないで）
●RFタイプの変化に応答して、一つ以上の測定を実行するために必要な測定構成を（例えばデータベースまたはメモリから）取得し適合化する。
●一つ以上の測定を再スタートする
【００８８】
測定性能を促進するために、例えば、E-SMLCからULポジショニング支援データにおいて、または他のネットワークノードからの支援データとして、受信器はさらに検索窓情報（例えば、期待する遅延伝搬と遅延の不確実性）を受信してもよい。検索窓は、測定ノードにより自発的に取得されてもよい。検索窓（例えば、支援データにおけるこの情報の利用可能性、検索窓構成対参照検索窓構成）は、受信器RFタイプが適合される場合に、測定ノードにより説明されてもよい。
【００８９】
他の現在行われている測定の構成パラメータが。受信器RFタイプを適合させる場合に、測定ノードにより説明されてもよい。例えば、現在行われている測定または要求されている測定の数、実行された測定または要求された測定の目標とする品質（例えば、目標なし、すなわちベストエフォート、または測定の最低の正確性目標または最大の測定時間目標）。
【００９０】
［解決策３：ポジショニング測定またはタイミング測定のために使用される受信器に対するRF性能を推定する方法］
この解決策は、独立型の実施形態であり、または、前のセクションにおいて記述された他の解決策と組み合わせられ得る。
【００９１】
本発明のこのパートの基本的な実施形態によれば、受信器RF性能は、受信器RF性能は、ポジショニング測定並びに／またはタイミング測定のために受信器に対して推定される。該推定は、RF性能メトリック推定値を取得することを含み、該メトリックは、ポジショニング測定並びに／またはタイミング測定に対して適合させる。
【００９２】
ポジショニング測定とタイミング測定はDL測定、UL測定または両方（例えば、いくつかの測定はRTTのようにDL構成要素とUL構成要素の両方を有する）であり得る。ポジショニング測定またはタイミング測定は、別の無線デバイスにより送信された無線信号に基づいて無線デバイスにより実行される測定であり得る。
【００９３】
ポジショニング測定は、ポジショニングのために構成された測定、または、必ずしもポジショニングが必要ではない一つ以上の目的に対して独自に構成されているとしてもポジショニングのために使用され得る測定である。ポジショニング測定の例は、ポジショニングタイミング測定、電力ベースポジショニング測定、AoA測定、である。
【００９４】
タイミング測定は、ポジショニング、例えば、ネットワーク管理、RRM、無線リソース最適化、無線ノードの近接検出、タイミング同期またはタイミング調整、距離推定または領域推定、MDT、SONなどを含む、あらゆる目的に対して実行され得る。タイミング測定の例は、タイミング前進、RTT、一方向伝搬遅延、TOA、TDOA、RSTD、UL RTOA、UE Rx-Tx測定、およびeNodeB Rx-Tx測定である。
【００９５】
受信器に対するRF性能メトリック推定値は、以下の一つ以上に基づいて、異なる方法において取得され得る。
●特定の受信器RFタイプに対する事前に定義されたRF性能の特徴を得ること
●履歴データ、または同様の条件において他の受信器に対して集計された性能統計に基づいて推定／予測すること
●履歴データ、または同様の条件おいて並びに／またはある期間の間に目的となる受信器に対して集計された性能統計に基づいて推定すること
●入力として一つ以上の無線条件を用いて事前に定義されたルールをマッピングまたは適用することにより。該条件は、たとえば、
‐ベースバンドまたはRF測定に基づいて、ノードにより「発見」され得る（例えば、      受信した信号強度、干渉による雑音増加（noise rise）、受信信号対雑音比、同一      跳ねる干渉量、帯域内−帯域外干渉量など）
○従来技術では、LMUはUL雑音増加や全ての干渉と雑音に対応していない
‐別のノードにより明確に示され得る（例えば、LMUが関連されたeNodeBまたはポジ      ショニングノードにより）
●一つの例では、RF性能メトリックを取得するため、並びに／または、参照RF性能メトリック値（例えば、関連する比較のために使用される。以下を参照）を取得するために使用される測定を実行するための事前に定義されたルールが存在し得る。例えば、
‐測定は一定の時間を通して一定の間隔をもって実行されるべきである。
‐測定は、要求を伴って一定の時間を通して実行されるべきである。
‐古いRF構成を有する受信器と適合化されたRF構成を有する受信器との間で許容され      た一定の最低の（例えば事前に定義された）時間または移行時間が存在し得る。
‐２つのRF性能メトリック推定値を得ることの間で許容された、一定の最低の（例え      ば事前に定義された）時間が存在し得る（例えば、受信器の「休憩時間（resting       time）」は、それぞれの２倍または最も長いRF性能メトリック推定の期間であり得      る）。
‐RF性能メトリック推定に対して使用される２つの連続した測定の間で許容された一      定の最低の（例えば事前に定義された）時間が存在し得る（例えば、受信器の「休      憩時間」または２つの試験の実行の間の時間は、それぞれの２倍または最も長い        測定期間であり得る）。
●例えば、ラボ、テストベッド、試験ネットワークまたはリアルネットワークにおいて受信器に対する試験手続きの一つ以上を実施すること。
‐検証は、事前に定義された、または構成されたRF性能メトリック値に対するもので      あり得る。
●測定のために使用され得る無線信号に対する検出確率として算出される（現在の信号が決定されたものであることを保証するために）、例えば、
‐UＥごと、測定タイプごと、サービスごと、エリアごと、環境ごと、RF構成ごと、      または受信器やアンテナポートに、ある期間に渡って、など。
‐検出確率は、（所望の信号は存在するが別の信号も代わりに定義される場合に）さ      らに正しい検出確率または誤りのある検出確率であり得る。故に、検出確率を取得      することは、検出された信号が（例えば所望の信号シグネチャやシーケンスを有す      る）正しい信号かどうかの検証も含み得る。
‐例えば９０％や９５％に定義された参照の／目標の検出確率もあり得る。
●測定のために使用され得るフォールスアラームレート又は無線信号の誤った検出確率として算出される（信号が存在しない場合にいずれの信号も定義されないことを保証するために）、例えば、
‐UＥごと、測定タイプごと、エリアごと、環境ごと、サービスごと、RF構成ごと、      または受信器やアンテナポートに、ある期間に渡って、など。
‐例えば1e-6に定義された参照の／目標のフォールスアラームもあり得る。
●一つ以上の値を含む統計的な測定として計算される。例えば、標準偏差、中央値、平均値、X番目の百分位数、CDF、PDF、特性関数、ヒストグラム
●測定のために使用される無線信号に対する修正結果に基づく
●参照性能に関して相対比較（例えば劣化や改善）に基づく。例えば
‐測参照性能は理想的または最適な条件における性能、参照のRF構成を伴う性能、参      照の時間における性能、参照の条件（例えば、ある一定のレベルにおけるSNRまた      はSINR）における性能、ある事象の前の性能（例えば測定を開始しする前）
【００９６】
推定されたRF性能メトリックは、例えば、以下のいずれか一つ以上のためにさらに使用され得る。
●RF性能メトリックの目標値に対して評価すること。ここで、目標RF性能メトリック値は、例えば、事前に構成された値、または事前に定義されたルールに従って動的に構成された値、または別のノードから受信した値であり得る。評価結果は以下のいずれかのためにさらに使用され得る。
●受信器RFタイプを選択して、受信器RF適合化（解決策２を参照）を実施すること。
●取得したRF性能評価に応答して、または適応的にポジショニング測定並びに／またはタイミング測定の一つ以上を構成すること。
●例えばこの受信器または他の受信器のRF性能評価値を取得するために、データベースに、または履歴データとして格納すること。格納することは、さらに、対応する無線条件、干渉の特徴、受信器の位置受信器RFタイプ、時間等の他の追加的な情報と一緒であってもよい。
●別のノードへシグナリングすること（解決策１と解決策２を参照）
●受信器電力消費またはバッテリーエネルギー最適化
‐性能が必要とされているものより高い場合（例えば閾値より高い）、RF構成が消費      する電力は、バッテリーエネルギーが閾値より低い場合に、低く選択される。
または、
‐性能が必要とされているものより低い場合（例えば閾値より低い）、バッテリーエ      ネルギーが閾値より高い場合により良いRF性能を得るために、RF構成を変更しまた      は変更せずに、より多くのリソースが割り当てられ得る。
●測定ノードのRF性能レベルと参照性能レベルとを比較すること。ここで参照性能レベルは、例えば、
‐内部の不具合を排除するために同じ状況において別のノードと一緒であることであ      る（これはすべての方法に有効である）。例えば、
‐二つのRF性能レベルに関連したRF構成を比較すること。
‐参照RF性能メトリック値
‐同じ受信器または参照の別の（例えば、既知の、または事前に定義された）受信器      のRF性能条件
‐同じ条件において別の受信器のRF性能（例えば、内部の不具合を排除するために、      これはすべての方法に有効であり得る、受信器の解決策と実施）。「別の」受信器      の例は、異なるRF並びに／または異なるRF適合化の動きを伴う受信器であり得る。
【００９７】
受信器は、目標のRF性能レベルを満たすために、受信器RFタイプ（ここに記述した解決策１、２、４を参照）も適合されてもよい。一実施形態では、適合化は、さらに、適応的検出閾値、（事前に定義され、または事前に定義されたルールに基づいて決定され得る。または受信器により自主的に決定され、別のノードから受信され、条件にマッピングすることにより取得され、または表やデータベースから取得され得る）目標／参照検出閾値、および（事前に定義され、または事前に定義されたルールに基づいて決定され得る。または受信器により自主的に決定され、別のノードから受信され、条件にマッピングすることにより取得され、または表やデータベースから取得され得る）目標／参照フォールスアラームレート、の一つ以上を取得または用いることを含む。
【００９８】
一実施形態において、一つのRF性能メトリック（経験値または所望／目標の値）は、別のRF性能メトリックの値を推定するために用いられ得る。例えば、目標／参照のフォールスアラームレートは、所望／目標の検出確率を決定するために使用され得、逆の場合も同様である。
【００９９】
別の実施形態では、一つ以上のRF性能メトリックの重みづけされた関数が、RF性能を評価するために決定されてもよい。
【０１００】
受信器はまた、検出窓の情報（例えば、期待される遅延伝搬および遅延の不確実性）を、例えばULポジショニング支援データにおいて、E-SMLCから、または、別のネットワークから、受信してもよい。検出窓（例えばこの情報の利用可能性、参照の検出窓構成に対する検出窓構成）はRF性能を推定することにおいて説明され得る。
【０１０１】
新しい参照チャネル
さらに別の実施形態において、RF性能を評価するために新しい参照チャネルが導入される。一つの例において、参照チャネルは、SRS等の物理参照信号に対して規定され得る。そのような参照チャネルは、現在は標準規格において規定されてない。
【０１０２】
新しい参照チャネルは、一つ以上のパラメータにより特徴づけられる。すなわち、変調、信号シーケンス、（時間並びに／または周波数リソースを含む）送信／受信スケジューリング、信号帯域（例えば広帯域、狭帯域、Nリソースブロックを含む帯域の一部）、周波数ホッピング構成、UEをサービスするセルに関連づけられたC-RNTI、参照信号が得られる無線デバイスに関連づけられた符号または特定のシーケンス、複信構成、CA構成（例えばPCellまたはSCellの構成、少なくとも一つのサービングセルの活性化状態）、電力制御パラメータ（例えばPUSCHまたはPUCCHの電力制御と同じか異なるか、電力制御オフセット）、EARFCN、ULサイクリックプリフィックス、セルのULシステム帯域、セル固有SRS帯域構成 srs-BandWidthConfig [36.211, v11.0.0]、UE固有SRS帯域構成 srs-BandWidth [36.211, v11.0.0]、SRS送信に対するアンテナポートの数 srs-AntennaPort [36.211 v11.0.0]、受信器のアンテナポートの数、SRS周波数領域位置 [36.211, v11.0.0]、SRS周波数ホッピング帯域構成 [36.211, v11.0.0]、SRSサイクリックシフト [36.211, v11.0.0]、SRSコム（comb） [36.211, v11.0.0]、SRS構成インデックス [36.213, v10.7.0]、TDDだけに使用されるMaxUpPt [36.211, v11.0.0]、グループホッピングが可能かの指示 [36.211, v11.0.0]、deltaSSパラメータ [36.211, v11.0.0, 5.5.1.3]（SRSシーケンスホッピングが使用される[36.211, v11.0.0, 5.5.1.4]場合に含まれ、他の場合は含まれない）である。
【０１０３】
参照チャネル構成はまた、同じ送信ノード（PUSCH、PUCCH、CQI、フィードバックなど）からの他の信号／チャネル／特定の送信との、参照信号の同時送信を含んでもよい。
【０１０４】
［解決策４：要件と試験へのコンプライアンス］
事前に定義された要件へのコンプライアンス
一部によれば、測定ノードは、事前に定義された一定の要件を満たすためにその受信器RFタイプを適合させ、事前に定義された一定の要件を満たすために送信ノードの構成を適合し、並びに／またはネットワークノード（例えばポジショニングノード）は、事前に定義された一定の要件（例えば、一定の条件または一定の無線環境における、参照RF性能または事前に定義されたRF性能レベル）を満たすために受信器RFタイプを適合させることを支援する（例えば構成がノードの能力に適合することを保証する）。適合化のために、解決策１〜３で記述した実施形態の一つまたは組み合わせも使用される。
【０１０５】
試験へのコンプライアンス
本発明に記述される方法、例えば、RF構成情報を取得する方法、受信器RFタイプを適合させる方法、受信器RFタイプを適合させる方法、および事前に定義された要件（例えば一定のRF性能レベル）を満たすための方法も、試験機器（TE）ノード（別名システムシミュレータ（SS）または試験システム（TS））において構成され得る。TEまたはSSは、前のセクションで記述した事前に定義された要件と手続きを検証するために、無線デバイス、サービング無線ノード、ポジショニングノード、測定無線ノード（例えば単体のLMU）などの異なるノードに適応可能な実施形態に関連する全ての構成の方法を実装する必要があるだろう。
【０１０６】
試験の目的は、無線ノード、測定ノード、無線デバイス、ポジショニングノード等が、事前に定義されたルール、プロトコル、シグナリグ、およびRF構成情報を取得し使用することに関連し、並びに／または受信器RFタイプを適合させることに関連する要件に準拠することを検証することである。
【０１０７】
典型的には、TEまたはSSまたはTSは、UEと無線ネットワークノードに対する試験を個別に行う。LMUに対する個別の試験もある。
【０１０８】
試験は、測定に固有であり、能力に依存してもよい。例えば、LUMは、サポートされる帯域の一つまたは一組、並びに／または組み合わせを提供（宣言）する。例えば、前のセクションで記述された要件は、TEまたはSSなどと共に検証されてもよい。
【０１０９】
測定ノード（LMUまたはeNodeB）の試験に対して、TEまたはSSはさらに以下のことが可能である。
●測定ノードから測定結果を受信すること
●受信した結果を分析すること。例えば、測定デバイスが要件に準拠するか否かを判定するために、試験において得られた、測定結果または測定結果の統計（例えば９０％の信頼性を有する）を、参照の結果と比較すること。参照は、事前に定義された要件、測定ノードの動作、理論的な推定、または参照デバイスによって実施されたものに基づくものとすることができる。参照デバイスは、TEまたはSSの役割であり得る。
【０１１０】
図４は、無線ネットワーク（例えば図１）の例示的なノード４００を供する。ノード４００は、一つ以上のRF受信器４１０を有する。各RF受信器４１０は、図２、３に示したように構成され、RF構成を有する。ノード４００はさらに、RF受信器構成を制御するRF受信器構成制御器４２０を有する。これにより、RF構成の設定、または順守するためにRF特性を設定することのいずれかが可能となる。制御器４２０は、RFタイプ情報報告の手段によって、現在のRF構成およびRF特性を報告することができる。制御器４２０は、設定の特性を順守しないRF受信器の一つによりもたらされた警告のような、内部のトリガに基づいてそれを行ってもよい。制御器４２０は、受信した要求に基づいて報告を行ってもよい。
【０１１１】
制御器４０４は、RFタイプ情報制御も受信し得る。制御器４２０、これを、または求められずに受信されることを、嘆願または要求し得る。制御器４２０は、RF受信器４１０のRF特性を制御するために、受信したRFタイプ情報を使用する。
【０１１２】
図５は、一つ以上の測定のノード５１０、および一つ以上の試験装置ノード５２０を含む受信器性能管理システム５００の実施形態を示している。
【０１１３】
測定ノード５１０は、LMUにより実現化され、一般的に図１に示されるようなネットワーク環境に配置され得る。測定ノード５１０は、RF受信器５３０とともに、RF受信器５３０に接続されるアンテナポート５４０を含む。いくつかの実施形態において、測定ノード５１０は、複数のRF受信器５３０を有し、各RF受信器５３０に対しては、個別のアンテナポート５４０が提供される。測定ノード５１０は、一つの実装では、図４に示されるように実現化され得る（すなわち、RFタイプ情報の処理のためにRF受信器構成コントローラ５４０を有し得る）。
【０１１４】
測定ノード５１０の各RF受信器５３０は、図２または図３に示したような受信器構成を有する。特に、RF受信器５３０は、測定要求を受信し測定報告を生成するために、DSP（図３における参照番号３１２）を有する。
【０１１５】
試験装置ノードは、RF性能メトリック推定器５５０を有する。推定器５５０は、測定要求をRF受信器５３０へ送信し、対応する測定報告を受信するように構成される。さらに、RF性能メトリック推定器５５０は、RF受信器５３０に送られる、検出確率と無線信号に対するフォールスアラームレートのうちの一つまたは両方を計算するように構成される。無線信号は、測定ノード５１０のアンテナポート５４０に接続された個別参照チャネル生成器５６０により生成され得る。本実施形態では、参照チャネル生成器５６０は、試験装置ノード５２０の一部として図示されている。他の実施形態では、参照チャネル生成器５６０は、別のノードと共に位置し、またはそれ自身のノードの中に実現化され得る。
【０１１６】
以下においては、図５に示される受信器性能管理システム５００の動作が、図６の概要フロー図を参照してより詳細に記述される。フロー図６００は、試験装置ノード５２０により少なくとも部分的に実行される方法の実施形態の工程を示している。
【０１１７】
図６に示されるように、最初のステップ６０２では、参照無線信号が参照チャネル生成器５６０により参照チャネルにおいて生成される。参照チャネルは、解決策３を参照して上記に説明したような構成を有する。例示的なLTE／LMU実装において、参照無線信号はSRSを含む。これにより、LMU RTOA測定は、より高いレイヤの情報のいずれをも運ばないLMU SRS上とデータがないチャネル上で実施されるので、LMU RTOA測定に関し、LMUの効率的な評価が可能となる。
【０１１８】
参照信号を生成してRF受信器５３０へ送信する間、RF性能メトリック推定器５５０は、繰り返し測定要求を生成し、それらのリクエストをRF受信器５３０で伝達する（ステップ６０４を参照）。ステップ６０４において生成された測定要求によく反応して、RF性能メトリック推定器５５０は、関連する参照報告６０６をRF受信器５３０から受信する。ステップ６０４と６０６は、基本的に同時に実行される。
【０１１９】
ステップ６０８では、RF性能メトリック生成器５５０は、検出確率とフォールスアラームレートの形式でRF性能メトリック推定値を計算するために、生成した要求と受信した参照報告に関して統計を解析する。例示的なLTE／LMU実装においては、SRS検出に基づいたRF性能メトリック推定値として検出確率とフォールスアラームレートを使用することは、特定された参照測定チャネルまたはBERのような最大スループットあらゆるスループット関連のメトリックより、ポジショニング／タイミング測定性能に対して、より好適である。
【０１２０】
ステップ６０８において計算された検出確率は、全ての測定報告の数に対する受信した測定報告の割合として表され得る。同様にして、フォールスアラームレートは、存在しない信号の測定構成を有する全測定報告の数に対する受信した測定報告の百分率として計算され得る。
【０１２１】
次のステップ６１０では、結果として生じるRF性能メトリック推定値（すなわち、検出確率）が、一つ以上の関連RF性能メトリック値に対して検証される。それらのRF性能メトリック値は、検出確率とフォールスアラーム要件の形式をそれぞれとり得る（また、ここでは参照結果として参照される）。例として、検出確率要件は、９０％、９５％、または９９％としてもよい。フォールスアラーム要件は、０．０１％または０．１％としてもよい。
【０１２２】
オプションの更なるステップ６１２では、試験装置ノード５１０または測定ノードのオペレータは、RF性能メトリック推定検証に基づいて、測定ノードを（再）構成してもよい。そのような（再）構成は、ここで述べたような、受信器RF特性、構成、またはタイプを変更することを含む。
【０１２３】
図７は、一つ以上の測定ノードと一つ以上の更なるネットワークノード７２０を含むネットワークノードシステム７００の実施形態を示す。図７の実施形態は、上述した解決策１、２，３、４のいずれか一つまたは組み合わせにより実現化され得る。
【０１２４】
一つ以上の測定ノード７１０は、例えば、LMUまたはeNodeBとして構成される。少なくとも一つの更なるネットワークノード７２０は、コアネットワークノードの形態で実現化され得る。ほかに、少なくとも一つのネットワークノード７２０は、LMUやeNodeBの形態で実現化され得る。後者の場合、少なくとも２つのネットワークノード７１０，７２０がピア（例えば、ネットワークノードシステム７００の、同じ階層並びに／または機能レベルに位置し得る）となり得る。
【０１２５】
測定ノード７１０は、一つの例では、図４に示される例示的なノードの形態をとる。さらに、ネットワークノードシステム７００は、図５において示される受信器性能管理システム５００の少なくとも一部を実現化するように構成され得る。例として、図７の測定ノード７１０と、選択的にネットワークノード７２０は、図５の測定ノード５１０の機能性をそれぞれ実装し得る。
【０１２６】
図７に示したように、測定ノード７１０は、RF受信器７３０だけでなく構成制御器７４０を有する。それらの２つの要素は、場合によっては、図４のRF受信器４１２とRF受信器構成制御器４２４に対応する。測定ノード７１０はさらに、送信器インタフェース７５０と受信器インタフェース７６０を有する。送信器インタフェース７５０は、構成制御器７４０により生成された報告メッセージをネットワークノード７２０に送信するように構成される。一方。受信器インタフェース７６０は、ネットワークノード７２０から制御メッセージを受信し、同じものを構成制御器７４０へ転送するように構成される。
【０１２７】
構成制御器７４０は、ネットワークノード７２０から受信した制御情報に基づいて、RF受信器７３０の現在のRF受信器構成を適合させるために、RF受信器７３０と結合される。さらに、構成制御器７４０は、RF受信器７３０の（一つ以上の現在のRF特性を伴う）現在のRF受信器構成を決定するように構成される。加えて、または代わりとして、構成制御器７４０は、RF受信器７３０に関して、（一つ以上の可能性のあるRF特性の範囲を伴う）可能性のあるRF構成を決定するように構成される。一つ以上の可能性のあるRF特性の範囲は、連続した範囲、または一つ以上の離散値の形態で示され得る。
【０１２８】
図７のネットワークノード７２０は、構成プロセッサ７７０を含む。構成プロセッサ７７０は、測定ノード７１０から受信された報告メッセージに含まれる報告情報を解析するように構成される。さらに、構成プロセッサ７７０は、制御メッセージを介して測定ノード７１０に送信される制御情報を生成するように構成される。制御情報の生成は、測定ノード７１０から受信された、報告された情報の解析に基づく。
【０１２９】
以下において、図７に示されたネットワークノードシステム７１００の動作が、図８の概要フロー図８００を参照してより詳細に記述される。フロー図８００は、測定ノード７１０と更なるネットワークノード８００により一緒に実行される方法の実施形態のステップを示している。
【０１３０】
図８に示されるように、最初のステップ８０２において、構成制御器７４０は、報告メッセージを生成し、同じものをネットワークノード７２０へ送信する。報告メッセージは、現在のRF受信器構成に関連する報告情報を含む。ほかの実施形態では、報告情報は、RF受信器の可能性のあるRF受信器構成を示す（例えば、一つ以上の可能性のあるRF特性の範囲を介して示される）。RF受信器に関連するRF特性は、一般的に受信器の感度、受信器のダイナミックレンジ、受信器の帯域内選択性、受信器の隣接チャネルの感度、（帯域内または帯域外としての）受信器のブロッキング、狭帯域ブロッキング特性、受信器スプリアス発射、および受信器の相互変調特性の一つ以上を含む。
【０１３１】
報告メッセージは、ステップ８０２において、一方的に、または個別の要求を受けて送信され得る。報告は、受信器インタフェース７６０を介して、ネットワークノード７２０から受信され得る。ネットワークノード７２０と測定ノード７１０がピアとして実現される場合、構成制御器７４０は、要求としてネットワークノード７２０から受信した報告メッセージを解釈し、報告メッセージをネットワークノード７２０へ送信する。
【０１３２】
ステップ８０４において、測定ノード７１０により送信された報告メッセージは、ネットワークノード７２０によって受信される。述べたように、報告メッセージは、一方的に、あ、ネットワークノード７１０により測定ノード７１０へ前もって送信された要求に対応して受信され得る。
【０１３３】
その後、ステップ８０６において、ネットワークノード７２０の構成プロセッサ７７０は、報告メッセージに含まれる報告情報を解析する。この解析は、ネットワーク管理タスクを実行するための必要性を識別することに関係する。このようなネットワーク管理タスクは、例えば、測定ノード７１０による、一つ以上の無線測定の構成を必要とする（例えば、タイミング並びに／またはポジショニング測定）。別の実施形態では、ネットワーク管理タスクは、ポジショニングの方法の選択または再選択を支持するものとなり得る。
【０１３４】
別のステップ８０８では、ステップ８０６における解析の結果を受けて、制御情報が制御プロセッサ７７０により生成される。ステップ８０６において生成された制御情報は、測定ノード７１０の現在の受信器構成の制御に、一般的には関連する。例として、制御情報は、設定されるRF受信器構成を特定するために、現在のRF受信器構成を制御し得る（現在のRF受信器構成を維持することを含む）。別の例では、制御情報は、現在のRF受信器構成の一つ以上のRF特性に対して、一つ以上の性能目標を測定するために、現在のRF受信器構成を制御し得る。
【０１３５】
更なるステップ８１０では、制御メッセージは制御プロセッサ７７０により生成される。制御メッセージは、ステップ８０８において生成された制御情報を含んで生成される。それから、ステップ８１０ではまた、生成された制御情報は、測定ノード７１０へ送信される。
【０１３６】
ステップ８１２では、制御情報は、受信器インタフェース７６０を介して測定ノード７１０により受信される。更なるステップ８１４では、測定制御器７４０は制御メッセージにおいて受信された制御情報を解析し、それにしたがってRF受信器７３０のRF受信器構成を適合させる。そのような適合化は、制御情報によって特定されたRF受信器構成にしたがって、または、一つ以上の特定された性能目標にしたがって、RF受信器７３０の現在のRF受信器構成を設定することを含む。そのような適合化は、RF受信器７３０に対して（例えば構成制御器７４０により）得られた干渉測定またはノイズ測定のうちの一つまたは両方を考慮し得る。
【０１３７】
適合化されたRF受信器構成に基づいて、測定ノード７１０は、RF受信器７３０を介して、一つまたは複数の測定、特に、ポジショニング測定並びに／またはタイミング測定を実施し得る。それらの測定は、測定報告において、図７のネットワークノード７２０のような別のネットワークノードへ報告され得る。ネットワークノード７２０は、それらのRF受信器構成を適合させることと合わせて複数の測定ノード７１０と通信し、それにより、複数のこのような測定ノード７１０から測定報告を受信することが好ましい。
【０１３８】
いくつかの実施形態について上述したことから明らかなように、ここに示される技術により、無線性能の制御が許容される。特に、その技術により、例えば、一つ以上のRF特性に対する目標（閾値やルールを含む）を用いて、RF受信器構成の遠隔の適合化が許容される。それらのことがもし満たされなければ、別のRF受信器構成が自動的に（例えば自主的に）実装されることが可能である。もし、適切なRF受信器構成が利用可能でなければ、またはほかの場合では、ここに記述される報告メッセージを介して、これが示され得る。そのような報告メッセージに応答して、RF受信器構成が制御メッセージを利用して設定され得る。対応する報告は、特定の目標、閾値またはルールが害される前に、「事前警告」としてすでに実装されることが可能である。
【０１３９】
［本説明において、以下の用語が使用されている］
説明において、無線デバイス、移動デバイスおよびUEが同じ意味で使用されている。UEは、無線インタフェースを備えるデバイスを含み、少なくとも無線信号を生成し無線ネットワークノードへ送信することが可能である。ただし、フェムトBS（別名ホームBS）、LMU、eNodeB、中継器などのようないくつかの無線ネットワークノードも、UEのようなインタフェースを備えている。「UE」の例としては、一般的な考えでは、PDA、ラップトップ、携帯電話、センサ、固定中継器、移動中継器、UEのようなインタフェースを備える無線ネットワークノード（例えばスモールRBS、eNodeB、フェムトBS）と理解されるだろう。
【０１４０】
無線ノードは、無線信号を送信並びに／または受信する能力により特徴付けられ、送信アンテナ並びに／受信アンテナを含む。送信無線ノードは、少なくとも送信アンテナを含み、受信無線ノードは少なくとも受信アンテナを含む。特別の例では、無線ノードは、自身のアンテナを有さず、別のノードと一つ以上のアンテナを共有してもよい。無線ノードは、UEまたは無線ネットワークノードであり得る。無線ノードの例は、無線基地局（例えば、LTEのEeNodeBまたはUTRANのNodeB）、中継器、移動中継器、遠隔無線ユニット（RRU）、遠隔無線ヘッド（RRH）、センサ、ビーコンデバイス、測定ユニット（例えばLMU）、ユーザ端末、PDA、携帯電話、iPhone、ラップトップなどである。
【０１４１】
無線ネットワークノードは、無線通信ネットワークに含まれる無線ノードであり、典型的には、自身または関連するネットワークアドレスにより特徴づけられる。例えば、セルらネットワークの移動機器は、ネットワークアドレスを持たないが、アドホックネットワークに含まれる無線デバイスは、ネットワークアドレスを持つ可能性が高い。無線ノードは、一以上の周波数において、動作し、無線信号を受信し、または無線信号を送信することが可能であってもよく、シングルRAT、マルチRAT、またはマルチスタンダードモードで動作し得る（例えば、デュアルモードユーザ機器は、WiFiとLTE、またはHSPAとLTE／LTE-Aの一つまたは組み合わせで動作することが可能である）。eNodeB、RRH、RRU、または送信だけのノード／受信だけのノードを含む無線ネットワークノードは、自身のセルを作っても作らなくてもよく、いくつかの例において、送信器、並びに／または、受信器、並びに／または、一つ以上の送信アンテナまたは一つ以上の受信アンテナを含んでもよい。また、自身のセルを作る別の無線ノードとセルを共有してもよい。一つ以上のセルは、一つの無線ノードに関連づけられる。さらに、例えば、UEが一つのプライマリセル（PCell）と一つ以上のセカンダリセル（SCells）を有するキャリアアグリゲーションにおいて、（DL並びに／またはULにおける）一つ以上のサービングセルが、UEに対して構成される。
【０１４２】
測定ノードは、DL無線信号、UL無線信号、無線デバイスから受信した信号、の一つ以上において測定を実施することができる無線ノード（例えば、無線デバイスまたは無線ネットワークノード）である。無線信号は、自身のアンテナ並びに／または一つ以上の他のノードと共有するアンテナを介して受信される。いくつかの例において、受信された物理無線信号は、無線測定が行われる前に増幅され得る。実施形態に依存して、測定ノードは、DL信号（例えば、UEのようなインタフェースを備える無線デバイスまたは無線ネットワークノード、LMU、中継器など）、UL信号（例えば、一般的には無線ネットワークノード、eNodeB、WLANアクセスポイント、LMUなど）、および無線デバイスからの信号、のうちの一つ以上において測定を実行し得る。測定ノードは、例えば測定を報告、並びに／または鵜または測定構成データを受信するために、他のノードと通信を行うための一つ以上のインタフェース（例えば無線インタフェース、固定のインタフェース、IPインタフェース）を有してもよい。測定ノードはまた、タイミング同期のために使用されるインタフェース、例えば、GNSSインタフェース、並びに／または同期信号またはパイロット信号を用いた同期のための無線インタフェースを備えてもよい。測定ノードはまた、測定構成並びに／またはタイミング同期のために使用され得る無線ネットワークからシステム情報（SI）を受信してもよい。システム情報は、例えば、個別のマルチキャスト／ブロードキャストシグナリングを介して受信され、シグナリングは、無線チャネル（例えばMIB、SIB1、SIB8、物理制御チャネルなど）または、高いレイヤの信号方式を介したものであってもよい。測定ノードのRF要素は、ハードウェア並びに／またはソフトウェアにおいて含まれてもよい。いくつかの例では、測定ノードは、ソフトウェアで規定された無線システムである。ここで、一つ以上の要素は、典型的にはハードウェア（例えば、ミキサ、フィルタ、増幅器、変調器／復調器、検波器など）においてソフトウェアの手段により実装されている。測定ノードに含まれるいくつかの例示的な受信器の構造は、図２と図３に示される。
【０１４３】
図２と図３に示される受信器２００、３００は、図１のLUMのような測定ノードにおいて提供され得る。言い換えれば、対応する受信器は、ポジショニング測定とタイミング測定の少なくとも一つを実行するために構成され得る。
【０１４４】
ネットワークノードは、無線ネットワークノードまたはコアネットワークノードであってもよい。いくつかの限定されない例としてのネットワークノードは、eNodeB、RNC、ポジショニングノード、MME、PSAP、SONノード、MDTノード、（典型的であるが必要ではない）調整ノード、およびO&Mノードである。
【０１４５】
別の実施形態において記述されるポジショニングノードは、ポジショニングの機能性を有するノードである。例えば、LTEに対しては、ユーザプレーン（例えばLTEにおけるSLP）におけるポジショニングプラットフォーム、または制御プレーン（例えばLTEにおけるE-SMLC）におけるポジショニングノードとして理解され得る。SLPはまた、SLCとSPCから構成され、またはSLCとSPCを含んでもよい。ここで、SPCはまた、E-SMLCを有する独自のインタフェースを有し得る。ポジショニングの機能性はまた、２つ以上のノードで分割され得る。例えば、LMUsとE-SMLCの間のゲートウェイノードがあり、ここで、ゲートウェイノードは無線基地局または別のネットワークノードであり得る。この場合、「ポジショニングノード」の語は、E-SMLCとゲートウェイノードに関連し得る。試験の環境では、ポジショニングノードは、試験機器によってシミュレーションまたはエミュレートされ得る。
【０１４６】
ここで使用される「調整ノード」の語は、一つ以上の無線ノードを有する無線リソースを調整するネットワーク並びに／またはノードである。例としての調整ノードは、ネットワーク監視構成ノード、OSSノード、O&M、MDTノード、SONノード、ポジショニングノード、MME、パケットデータネットワークゲートウェイ（P-GW）またはサービングゲートウェイ（S-GW）ネットワークノードまたはフェムトゲートウェイノードのようなゲートウェイノード、それに関連する小さい無線ノードを調整するマクロノード、他のeNodeBを有するリソースを調整するeNodeBなどである。
【０１４７】
ここに記述されるシグナリングは、直接リンクまたは論理リンク（例えば高いレイヤのプロトコルを介して、並びに／または、一つ以上のネットワーク並びに／または無線ノードを介して）のいずれか介するものである。例えば、調整ノードっからのシグナリングは、無線ネットワークノードのような別のネットワークノードを通過してもよい。
【０１４８】
ここに示した解決策を含む実施形態は、LTEに限定されず、無線アクセスネットワーク（RAN）、シングルRATまたはマルチRATに適用される。いくつかの他のRATの例は、LTE-Advanced、UMTS、HSPA、GSM、cdma2000、WiMAX、WiFiである。
【０１４９】
ここにおける測定は、UL無線信号、DL無線信号、無線デバイスから受信した無線信号のうちの一つ以上において実行された測定を含んでもよい。したがって、測定は、DL測定、UL測定、無線デバイスから受信した無線信号における測定、または、これらの組み合わせ、例えば、DLとULの要素の両方を含む測定（例えばRTTまたはRx-Tx測定）であってもよい。いくつかの例示的な測定は、TS 36.214、v11.0.0またはTS 25.215、v11.0.0にある。測定は、ベースバンド（例えばRSRP/RSRQ、タイミング測定、UL受信信号品質、およびAoA）、またはRFの部分（例えば、ノイズ上昇、受信干渉電力、受信エネルギー、受信電力スペクトラム密度、全受信干渉および雑音）において実行され得る。いくつかの例では、測定は異なる無線チェーンの間の関係においてなされる必要がある。
【０１５０】
ここで、以下の用語、ポジショニングのために使用されるUL測定、ULポジショニングのために用いられる測定、およびULポジショニング測定、は同じ意味に用いることができ、ポジショニングと他の目的のために構成された無線信号において実行される、少なくともポジショニングのために用いられるあらゆる無線測定を含む。少なくともいくつかの実施形態においてULポジショニングという語は、例えばUTDOAを参照してもよい。さらに、ULポジショニング測定は、例えば、UL RTOAを含んでもよいが、UL TOA、UL TDOA、UL AoA、UL電力ベース測定（例えば、UL受信信号品質、UL受信信号強度測定または受信干渉電力）、UL伝搬遅延、またはUL測定要素（例えばRTT、eNodeB Rx-TxまたはTx-Rx）を含む２方向測定、または少なくとも一つのUL測定要素（例えば多種多様のリンクまたは混合の測定における測定のようなもの）を一般的に含むいずれかの測定であってもよい。測定が２つのリンク（例えばTDOA、多種多様なリンク上の測定、RTTなど）を含む場合、リンクは２つ以上のノード並びに／または場所であってもよい（例えば３つのノードは多種多様なリンクまたはTDOAに関連し、２つの受信器と２つの送信器を含む）。「ノード」という語は、ここでは上述したようなあらゆる無線ノードを含み得る。
【０１５１】
UL送信またはUL無線信号は、一般的には、無線デバイスによる無線信号送信である。ここで、該送信は、無線デバイスにより送信された、特定のノード（例えば、eNodeB、LMU、別の無線デバイス、中継器、リピータ等）送信またはマルチキャストまたはブロードキャスト送信に対して専用であり、または向けられている。いくつかの例では、送信が配置される無線デバイスによる場合、UL送信は、ピアツーピア送信でさえもあり得る。ULポジショニング測定のために測定されるUL無線信号の例は、無線デバイスにより送信される参照信号（例えば、ULにおいて送信されるSRSまたは参照信号）、無線デバイスいより送信される個別チャネルまたは共有チャネル（例えば、無線デバイスにより送信された、データチャネル、制御チャネル、ランダムアクセスチャネル、ブロードキャストチャネルなど）またはほかの物理信号（例えば、近隣発見、または存在／活動の表示、ビーコン信号／メッセージを送信することなどのためにデバイスツーデバイス通信をサポートするために無線デバイスにより送信される）である。
【０１５２】
受信器RF特定という語は、例えば、一つ以上の受信器の感度、受信器のダイナミックレンジ、受信器のチャネル内感度、受信器の隣接チャネル感度、帯域内または帯域外としての受信器ブロッキング、狭帯域ブロッキング特性、受信器スプリアス発射、受信器の相互変調特性、またはより一般的には受信器RF構成または、RF性能または一つ以上の事前に定義されたRF要件を満たす受信器の能力を特徴づける一組の受信器構成パラメータを含んでもよい。特定のRF構成を有するように構成された、または一つ以上の特定のRF特性を有する受信器はまた、ここでは受信器RFタイプとして参照される。RF構成は、一つ以上のRF特性に関連付けられ得る。RF構成はまた、静的、準静的、または動的に構成され得るRFコンポーネントまたはモジュールのチェーンを含む（例えば、いくつかのチェーンは、ノードにより使用され得るコンポーネントまたはモジュールのサブセットを含んでもよい）。RF構成パラメータのいくつかの例は、サンプリングレートとジッタ、ダイナミックレンジ、RF特性に関連付けられる閾値、フィルタタイプまたはフィルタ構成パラメータ、LNA構成、局部発信器の中心周波数、ADC帯域幅、RF帯域幅、及び測定のための積分時間を含んでもよい。異なる受信器RFタイプに関連付けられた一組以上の事前に定義されたRFパラメータの組み合わせも、データベース（例えばフィルタバンクなど）に格納され得る。いくつかの受信器RF構成は、ADCの位置（例えば、ベースバンド、IFまたはRF）、アナログフロントエンド帯域幅及びADC帯域幅（例えば、単一チャネルまたはマルチチャネル、周波数スライス、例えばGSMや周波数帯域や２GHｚ帯域の範囲のサービス帯域、狭帯域または広帯域）、メモリ構成（例えば、メモリサイズ、メモリタイプなど）、及び電力消費であり得る。受信器の構造の限定しないいくつかの例は、マルチモードダイレクトコンバージョン受信器、マルチモード低IF受信器、マルチモードIFサンプリング受信器、広帯域RFサンプリング構造、広帯域ダイレクトコンバージョン／低IF構造、ダイレクトサンプリング構造である。
【０１５３】
いくつかの実施形態では、受信器RF構成または受信器RFタイプはまた、送受信器RF構成または送信器RF構成さえも含み得る（例えば送信器RFは同じノードの受信器RF性能に影響を有する）。したがって、例えば受信器RFタイプ（例えば、解決策１並びに／また解決策２）の適合化を記述する実施形態にお知恵、適合化は送受信器RF構成の適合化、または、送信SR構成の適合化を含んでもよい。
【０１５４】
いくつかの実施形態では、RF故末井は、現在の構成または一定の１以上のRF構成ｗｌサポートするノードの納涼の何れかを含んでもよい。いくつかの例では、RF構成は、事前に定義されてもよく、または構成可能であってもよい。
【０１５５】
ここに説明した多くの利点は、前述の説明から完全に理解されるだろう。さらに、様々な変形は、発明の範囲から離れずに、または、これらの利点の全てを犠牲にしないで、例示的な実施形態の形式、構造、および配置で、可能であることは明らかであろう。ここに示した技術は、多くの方法において変化可能であるため、本発明はここに添付する請求項の範囲のみに限定されるべきでないと認められるだろう。
2016500212.tif 000003
2016500212.tif 000004
【図２】
2016500212.tif 000005
【図３】
2016500212.tif 000006
【図４】
2016500212.tif 000007
【図５】
2016500212.tif 000008
【図６】
2016500212.tif 000009
【図７】
2016500212.tif 000010
【図８】
2016500212.tif 000011
【図１】
2016500212.tif 000012
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
ポジショニング測定とタイミング測定のうちの少なくとも一つのために使用される受信器（200;300;402;530）に対する無線周波数（RF）性能メトリック推定値を取得する方法（600）であって、該方法は試験装置ノードにより実行される試験手順により含まれ、該方法は、
前記測定に使用できる無線信号に対して検出確率とフォールスアラームレートのうちの少なくとも一つを計算する工程（608）と、
前記計算された検出確率と前記計算されたフォールスアラームレートのうちの少なくとも一つに基づいて、前記受信器に対する少なくとも一つのRF性能メトリック推定値を取得する工程（608）と、
前記少なくとも一つのRF性能メトリック推定値を、事前に定義されまたは構成されたRF性能メトリック値の少なくとも一方に対して検証する工程（610）と、を有し、
参照チャネルは、無線信号送信に対して特定され、
前記少なくとも一つの事前に定義されまたは構成されたRF性能メトリック値は前記参照チャネルに適合する
ことを特徴とする方法。
【請求項２】
前記少なくとも一つのRF性能メトリック推定値は、前記計算された検出確率並びに／または前記計算されたフォールスアラームレートにより構成されることを特徴とする請求項１に記載の方法。
【請求項３】
前記RF性能メトリック推定値は、位置測定ユニット（LMU）の形式で測定ノード（400;510）の受信器のために取得されることを特徴とする請求項１または２に記載の方法。
【請求項４】
前記少なくとも一つのRF性能メトリック値は、参照のまたは目標の検出確率と、参照のまたは目標のフォールスアラームレートのうちの一方であることを特徴とする請求項１に記載の方法。
【請求項５】
第一のRF性能メトリック推定値は、前記計算された検出確率に基づいて取得され、第二のRF性能メトリック推定値は、前記計算されたフォールスアラームレートに基づいて取得され、前記第一のRF性能メトリック推定値と前記第二のRF性能メトリック推定値の両方は検証されることを特徴とする請求項１または４に記載の方法。
【請求項６】
前記工程は、前記受信器を含む測定ノード（400;510）に対して、前記試験装置ノード（520）により実行されることを特徴とする請求項１から５のいずれか１項に記載の方法。
【請求項７】
前記測定ノードから測定結果を前記試験装置ノードにより受信する工程と、
前記測定デバイスが必須要件に準拠しているか否かを判定するために前記測定結果を前記試験装置ノードにより解析する工程と、
を更に有することを特徴とする請求項６に記載の方法。
【請求項８】
前記測定結果は測定要求に応答して受信されることを特徴とする請求項７に記載の方法。
【請求項９】
前記測定結果を解析する工程は、前記測定結果の統計を参照結果と比較することを含むことを特徴とする請求項７または８に記載の方法。
【請求項１０】
前記検出確率並びに／または前記フォールスアラームレートは、前記測定結果を解析することに関連して計算されることを特徴とする請求項７から９のいずれか１項に記載の方法。
【請求項１１】
前記検出確率は、前記無線信号の存在を決定することを示すことを特徴とする請求項１から１０のいずれか１項に記載の方法。
【請求項１２】
前記フォールスアラームレートは、前記無線信号が存在しない場合の無線信号判定を示すことを特徴とする請求項１から１１のいずれか１項に記載の方法。
【請求項１３】
前記検出確率と前記フォールスアラームレートのうちの少なくとも一つは、測定ノードの受信器またはアンテナポート毎に計算されることを特徴とする請求項１から１２のいずれか１項に記載の方法。
【請求項１４】
前記受信器はロングタームエヴォリューション（LTE）に準拠し、前記検出確率と前記フォールスアラームレートのうちの少なくとも一つは、アップリンクサウンディング参照信号（SRS）を含む無線信号に対して計算されることを特徴とする請求項１から１３のいずれか１項に記載の方法。
【請求項１５】
前記参照チャネルは物理参照信号に対して特定されることを特徴とする請求項１に記載の方法。
【請求項１６】
前記物理参照信号はサウンディング参照信号（SRS）であることを特徴とする請求項１５に記載の方法。
【請求項１７】
前記参照チャネルは、アップリンクSRSの検出を許容する一つ以上のSRSパラメータを送信するために使用されることを特徴とする請求項１４に関連した請求項１６に記載の方法。
【請求項１８】
前記参照チャネルは、以下のパラメータ、すなわち、
変調、信号シーケンス、時間並びに／または周波数リソースを含む送信または受信スケジューリング、信号帯域幅、周波数ホッピング構成、セル関連C-RNIT、前記参照信号が取得された無線デバイスに関連付けられた符号または特定のシーケンス、複信構成、CA構成、電力制御パラメータ、EARFCN、ULサイクリックプリフィックス、セルのULシステム帯域幅、セル固有SRS帯域幅構成、UE固有帯域幅構成、SRS送信ためのアンテナポート数、SRS周波数領域位置、SRS周波数ホッピング帯域幅構成、SRSサイクリックシフト、SRS送信コム、SRS構成インデックス、TDDにのみ使用されるMaxUpPt、グループホッピングが可能かの表示、デルタSSパラメータ、
の一つ以上に特徴づけられることを特徴とする請求項１または請求項１５から１７のいずれか１項に記載の方法。
【請求項１９】
前記受信器または前記受信器を含む測定ノードは、到着時間差（TDOA）測定と相対到着時間（RTOA）測定の少なくとも一つのために適合されることを特徴とする請求項１から１８のいずれか１項に記載の方法。
【請求項２０】
前記取得したRF性能メトリック推定値に応答して、または前記取得したRF性能メトリック推定値に基づいて適応的に、ポジショニング測定とタイミング測定のうちの少なくとも一つを構成する工程を更に有することを特徴とする請求項１から１９のいずれか１項に記載の方法。
【請求項２１】
コンピューティングデバイスにより実行された場合に、請求項１から２０のいずれか１項に記載の方法を実行するためのプログラムコード部分を含むコンピュータプログラム。
【請求項２２】
コンピュータ読み取り可能な記録媒体に格納された請求項２１に記載のコンピュータプログラム。
【請求項２３】
ポジショニング測定とタイミング測定のうちの少なくとも一つのために使用される受信器（200;300;402;530）に対する無線周波数（RF）性能メトリック推定値を取得するための装置（560）を含む試験装置ノード（520）であって、前記装置は、
前記測定に使用できる無線信号に対して検出確率とフォールスアラームレートのうちの少なくとも一つを計算し、
前記計算された検出確率と前記計算されたフォールスアラームレートのうちの少なくとも一つに基づいて、前記受信器に対する少なくとも一つのRF性能メトリック推定値を取得し、
前記少なくとも一つのRF性能メトリック推定値を、事前に定義されまたは構成されたRF性能メトリック値の少なくとも一方に対して検証し、
前記少なくとも一つの事前に定義されまたは構成されたRF性能メトリック値が参照チャネルに適合するように、無線信号送信に対して、前記参照チャネルを特定するように構成されることを特徴とする装置。
【請求項２４】
受信器性能管理システムであって、
請求項２３に記載の試験装置ノードと、
前記受信器（200;300;402;530）を含む少なくとも一つの測定ノード（400;510）を含むことを特徴とするシステム。
【請求項２５】
前記少なくとも一つの測定ノードは、前記RF性能メトリック推定値が取得された受信器を含む、位置測定ユニット（LUM）と進化型NodeB（eNodeB）のうちの少なくとも一つを含むことを特徴とする請求項２４に記載のシステム。
【請求項２６】
前記受信器は、受信器RFタイプに準拠し、前記システムは、少なくとも一つの事前に定義されまたは構成されたRF性能メトリック値はたま参照結果を満たすために受信器RFタイプを適合させるように構成されることを特徴とする請求項２４または２５に記載のシステム。
【国際調査報告】
2016500212.tif 000013
2016500212.tif 000014
2016500212.tif 000015